(57)【要約】ディスクの片面を露出させ、シャッタを開閉するための回転部材を備えた第１のディスクカートリッジを露出したディスクの片面と対向するように保持する第１の保持面１２ａと、第１の保持面１２ａよりも突出し、ディスクのセンターホール周辺の非記録領域と接触してディスクを支持するディスク支持面１３と、ディスクのセンターホール内において突出するようにセンターホールと嵌合する突起部１４とを含む支持本体１１、第１のディスクカートリッジの回転部材を回転させるシャッタ駆動部材３１、およびディスクのセンターホール周辺の非記録領域と当接する接触面と、突起部と回転可能なように嵌合する凹部とを含む回転つまみ２１を備えたディスククリーニング装置。【特許請求の範囲】
【請求項１】
ディスクの片面を露出させ、シャッタを開閉するための回転部材を備えた第１のディスクカートリッジを前記露出したディスクの片面と対向するように保持する第１の保持面と、前記第１の保持面よりも突出し、ディスクのセンターホール周辺の非記録領域と接触して前記ディスクを支持するディスク支持面と、前記ディスクのセンターホール内において突出するように前記センターホールと嵌合する突起部とを含む支持本体、
前記第１のディスクカートリッジの回転部材を回転させるシャッタ駆動部材、および
前記ディスクのセンターホール周辺の非記録領域と当接する接触面と、前記突起部と回転可能なように嵌合する凹部とを含む回転つまみ、
を備えたディスククリーニング装置。
【請求項２】
前記支持本体は、スライドすることにより開閉するシャッタを備えた第２のディスクカートリッジを保持する第２の保持面と、前記第２のディスクカートリッジのシャッタを開放した状態で保持するシャッタストッパとをさらに含み、
前記ディスク支持面は、前記第２の保持面よりも突出している請求項１に記載のディスククリーニング装置。
【請求項３】
前記第１の保持面は、前記第２の保持面と前記ディスク支持面との間の高さに位置している請求項２に記載のディスククリーニング装置。
【請求項４】
前記シャッタ駆動部材は、第１のディスクカートリッジの回転部材に設けられたシャッタ操作部と係合する係合部、および、つまみ部を有し、前記第１のディスクカートリッジの前記回転部材が設けられた側面と平行に、前記支持本体に対してスライド移動する請求項１から３のいずれかに記載のディスククリーニング装置。
【請求項５】
前記シャッタ駆動部材が前記支持本体から脱離しないように前記シャッタ駆動部材の係合部の少なくとも一部を前記支持本体とで挟む蓋材をさらに備え、前記蓋材は、前記支持本体に取り付けられている請求項４に記載のディスククリーニング装置。
【請求項６】
前記支持本体は、前記第１のディスクカートリッジをシャッタ駆動部材側に付勢する弾性部をさらに含む請求項１から３のいずれかに記載のディスククリーニング装置。
【請求項７】
前記支持本体は前記保持された第１のディスクカートリッジの回転部材が設けられた側面と平行に形成された第１の溝を有し、
前記シャッタ駆動部材は、前記第１の溝と係合する第１の凸部を有している請求項４に記載のディスククリーニング装置。
【請求項８】
前記支持本体と前記シャッタ駆動部材は、前記シャッタ駆動部材の第１の凸部が前記支持本体の第１の溝から脱離しないように係合している請求項７に記載のディスククリーニング装置。
【請求項９】
前記支持本体は、前記第１の保持面および前記第２の保持面が設けられた第１の面と、前記第１の面の反対側に位置する第２の面とを有し、
前記第１および第２の面は、前記第１のディスクカートリッジの回転部材が設けられた側面と平行に形成された第１および第２の溝をそれぞれ有し、
前記シャッタ駆動部材は、互いに対向するように突出し、前記第１および第２の溝と係合する第１および第２の凸部を有している請求項４に記載のディスククリーニング装置。
【請求項１０】
少なくとも前記支持本体の第１の保持面に保持された第１のディスクカートリッジを覆うカバーをさらに備え、
前記カバーは、前記第１のディスクカートリッジのシャッタが開放したときに露出する開口に対応する開口部を有する請求項１から４のいずれかに記載のディスククリーニング装置。
【請求項１１】
前記カバーは、前記支持本体の一辺近傍において、回転可能なように支持される請求項１０に記載のディスククリーニング装置。
【請求項１２】
前記カバーは、着脱可能なように前記支持本体に支持される請求項１１に記載のディスククリーニング装置。
【請求項１３】
前記カバーは、前記開口部近傍において、前記支持本体に向かって延びる側面を有する請求項１０に記載のディスククリーニング装置。
【請求項１４】
前記カバーは、前記支持本体と対向する面に凸状の位置規制部を有し、前記位置規制部は、前記支持本体に保持された第１のディスクカートリッジが垂直方向に移動するのを規制する請求項１０に記載のディスククリーニング装置。
【請求項１５】
前記カバーは少なくとも一部の領域において、前記支持本体の第１の保持面に保持された第１のディスクカートリッジが見える程度に透明である請求項１０に記載のディスククリーニング装置。
【請求項１６】
前記カバーは前記保持された第１のディスクカートリッジの回転部材が設けられた側面とおよそ平行に形成された第１の溝を有し、
前記シャッタ駆動部材は、前記第１の溝と係合する第１の凸部を有している請求項１０に記載のディスククリーニング装置。
【請求項１７】
前記カバーおよび前記シャッタ駆動部材は、前記シャッタ駆動部材の第１の凸部が前記カバーの第１の溝から脱離しないように係合している請求項１６に記載のディスククリーニング装置。
【請求項１８】
前記カバーは、前記支持本体と対向する第１の面と、前記第１の面の反対側に位置する第２の面とを有し、
前記第１および第２の面は、前記第１のディスクカートリッジの回転部材が設けられた側面と平行に形成された第１および第２の溝をそれぞれ有し、
前記シャッタ駆動部材は、互いに対向するように突出し、前記第１および第２の溝と係合する第１および第２の凸部を有している請求項１０に記載のディスククリーニング装置。
【請求項１９】
前記シャッタ駆動部材は、第３の凸部を有しており、
前記支持本体は、前記保持された第１のディスクカートリッジの回転部材が設けられた側面と平行に形成され、前記シャッタ駆動部材の第３の凸部と係合する第３の溝と、前記カバーが第１のディスクカートリッジを覆うように前記支持本体に取り付けられたとき、前記シャッタ駆動部材の第３の凸部が前記第３の溝に挿入されるよう、前記第３の溝と連通した切り欠きを有する請求項１０に記載のディスククリーニング装置。
【請求項２０】
前記第３の溝と連通した切り欠きに前記シャッタ駆動部材の第３の凸部が挿入し得る位置において前記カバーに対して前記シャッタ駆動部材を固定するための固定構造を少なくとも前記シャッタ駆動部または前記カバーが備える請求項１９に記載のディスククリーニング装置。
【請求項２１】
前記シャッタ駆動部の係合部は、前記第１のディスクカートリッジの回転部材に設けられたギア部およびギア部を挟む第１および第２の切り欠きに係合するラックならびに第１および第２の係合部を有し、前記第１および第２の係合部は、前記ラックを挟むようにラックに対して弾性的に支持されている請求項１０に記載のディスククリーニング装置。
【請求項２２】
前記第１の係合部は凸部を有し、前記第１のディスクカートリッジのシャッタを開放させる場合に前記第２の係合部より先に前記回転部材と接触し、
前記支持本体は前記第１の係合部の凸部と係合するガイド溝を有し、
前記ガイド溝は、前記第１のディスクカートリッジのシャッタが開放するように前記シャッタ駆動部材を移動させた場合、前記第１の係合部が前記第１のディスクカートリッジの回転部材の第１の切り欠き以外の部分と接触して、前記回転部材を駆動させないよう、前記第１の係合部の凸部を駆動し、第１の係合部を退避させる請求項１０に記載のディスククリーニング装置。
【請求項２３】
前記支持本体の突起部は、前記第２のディスクカートリッジにおいて、前記ディスクのセンターホール内に突出するように設けられた突起と干渉しないように、２つの切り欠き部を有する請求項１から３のいずれかに記載のディスククリーニング装置。
【請求項２４】
前記支持本体は、前記回転つまみを収納する収納部と前記第１のディスクをクリーニングするためのクリーニング液のボトルを収納する収納部とを有する請求項１から３のいずれかに記載のディスククリーニング装置。
【発明の詳細な説明】
【技術分野】  本発明はカートリッジ内に収納された光ディスクをクリーニングするための装置に関するものである。
【背景技術】  従来のビデオテープに替えて、映像を記録することが可能な大容量の光ディスクが普及してきている。このような光ディスクは記録密度が高いため、データ記録面に埃が付着したり、傷が生じたりすると、データの記録や再生に支障をきたす可能性がある。このため、カートリッジに収納された光ディスクが開発されている。
光ディスクがカートリッジに収納された記録媒体では、カートリッジにシャッタが設けられている。以下、本願明細書では、光ディスクを収納したカートリッジを単にディスクカートリッジと呼ぶ。シャッタは、ディスクカートリッジが記録再生装置に装填された場合に開放され、記録再生を行うヘッドが光ディスクのデータ記録面にアクセス可能となる。記録再生装置からディスクカートリッジが取り出された状態ではシャッタが閉じられている。このため、保管時は埃が付着したり、傷がつかないよう光ディスクが保護される。
このようなシャッタの動作により、通常の使用状態では、ディスクカートリッジの中の光ディスクに埃が堆積することはない。しかし、記録再生装置内では、ディスクカートリッジのシャッタが開放されており、開放された開口から光ディスクに埃が付着する可能性がある。いったん、光ディスクに埃が侵入すると、保管時にはシャッタが閉じられるため、ディスクカートリッジの外部へ埃を排出することは難しい。
この問題を解決するために、ディスクカートリッジ内に収納された光ディスクをクリーニングするディスクリーニング装置が提案されている。
例えば、特開平１１−２７３３１３号公報は、シャッタストッパを有する本体を備えたディスククリーニング装置を開示している。シャッタストッパは、スライド動作により開閉するシャッタを開放した状態で保持することができる。
このディスククリーニング装置では、シャッタストッパの位置を移動させることができ、これにより、２種類のカートリッジを装填して光ディスクをクリーニングすることができる。
しかし、この構造ではスライドにより開閉するシャッタを備えたカートリッジにのみ有効であり、国際公開第０３／０４１０７６号パンフレットに開示されるようなディスクの片面を露出させ、シャッタを開閉するための回転部材を備えたディスクカートリッジには対応できなかった。
【発明の開示】
本発明は上記課題を解決し、ディスクの片面を露出させ、回転部材を回転させることによりシャッタを開閉させるディスクカートリッジに適合し、簡便な構成で、安定、確実にディスクカートリッジのシャッタを開閉することのできるディスククリーニング装置を提供することを目的とする。
本発明のディスククリーニング装置は、ディスクの片面を露出させ、シャッタを開閉するための回転部材を備えた第１のディスクカートリッジを前記露出したディスクの片面と対向するように保持する第１の保持面と、前記第１の保持面よりも突出し、ディスクのセンターホール周辺の非記録領域と接触して前記ディスクを支持するディスク支持面と、前記ディスクのセンターホール内において突出するように前記センターホールと嵌合する突起部とを含む支持本体、前記第１のディスクカートリッジの回転部材を回転させるシャッタ駆動部材、および前記ディスクのセンターホール周辺の非記録領域と当接する接触面と、前記突起部と回転可能なように嵌合する凹部とを含む回転つまみを備えている。
ある好ましい実施形態において、前記支持本体は、スライドすることにより開閉するシャッタを備えた第２のディスクカートリッジを保持する第２の保持面と、前記第２のディスクカートリッジのシャッタを開放した状態で保持するシャッタストッパとをさらに含み、前記ディスク支持面は、前記第２の保持面よりも突出している。
ある好ましい実施形態において、前記第１の保持面は、前記第２の保持面と前記ディスク支持面との間の高さに位置している。
ある好ましい実施形態において、前記シャッタ駆動部材は、第１のディスクカートリッジの回転部材に設けられたシャッタ操作部と係合する係合部、および、つまみ部を有し、前記第１のディスクカートリッジの前記回転部材が設けられた側面と平行に、前記支持本体に対してスライド移動する。
ある好ましい実施形態において、前記シャッタ駆動部材が前記支持本体から脱離しないように前記シャッタ駆動部材の係合部の少なくとも一部を前記支持本体とで挟む蓋材をさらに備え、前記蓋材は、前記支持本体に取り付けられている。
ある好ましい実施形態において、前記支持本体は、前記第１のディスクカートリッジをシャッタ駆動部材側に付勢する弾性部をさらに含む。
ある好ましい実施形態において、前記支持本体は前記保持された第１のディスクカートリッジの回転部材が設けられた側面と平行に形成された第１の溝を有し、前記シャッタ駆動部材は、前記第１の溝と係合する第１の凸部を有している。
ある好ましい実施形態において、前記支持本体と前記シャッタ駆動部材は、前記シャッタ駆動部材の第１の凸部が前記支持本体の第１の溝から脱離しないように係合している。
ある好ましい実施形態において、前記支持本体は、前記第１の保持面および前記第２の保持面が設けられた第１の面と、前記第１の面の反対側に位置する第２の面とを有し、前記第１および第２の面は、前記第１のディスクカートリッジの回転部材が設けられた側面と平行に形成された第１および第２の溝をそれぞれ有し、前記シャッタ駆動部材は、互いに対向するように突出し、前記第１および第２の溝と係合する第１および第２の凸部を有している。
ある好ましい実施形態において、ディスククリーニング装置は、少なくとも前記支持本体の第１の保持面に保持された第１のディスクカートリッジを覆うカバーをさらに備え、前記カバーは、前記第１のディスクカートリッジのシャッタが開放したときに露出する開口に対応する開口部を有する。
ある好ましい実施形態において、前記カバーは、前記支持本体の一辺近傍において、回転可能なように支持される。
ある好ましい実施形態において、前記カバーは、着脱可能なように前記支持本体に支持される。
ある好ましい実施形態において、前記カバーは、前記開口部近傍において、前記支持本体に向かって伸びる側面を有する。
ある好ましい実施形態において、前記カバーは、前記支持本体と対向する面に凸状の位置規制部を有し、前記位置規制部は、前記支持本体に保持された第１のディスクカートリッジが垂直方向に移動するのを規制する。
ある好ましい実施形態において、前記カバーは少なくとも一部の領域において、前記支持本体の第１の保持面に保持された第１のディスクカートリッジが見える程度に透明である。
ある好ましい実施形態において、前記カバーは前記保持された第１のディスクカートリッジの回転部材が設けられた側面とおよそ平行に形成された第１の溝を有し、前記シャッタ駆動部材は、前記第１の溝と係合する第１の凸部を有している。
ある好ましい実施形態において、前記カバーおよび前記シャッタ駆動部材は、前記シャッタ駆動部材の第１の凸部が前記カバーの第１の溝から脱離しないように係合している。
ある好ましい実施形態において、前記カバーは、前記支持本体と対向する第１の面と、前記第１の面の反対側に位置する第２の面とを有し、前記第１および第２の面は、前記第１のディスクカートリッジの回転部材が設けられた側面と平行に形成された第１および第２の溝をそれぞれ有し、前記シャッタ駆動部材は、互いに対向するように突出し、前記第１および第２の溝と係合する第１および第２の凸部を有している。
ある好ましい実施形態において、前記シャッタ駆動部材は、第３の凸部を有しており、前記支持本体は、前記保持された第１のディスクカートリッジの回転部材が設けられた側面と平行に形成され、前記シャッタ駆動部材の第３の凸部と係合する第３の溝と、前記カバーが第１のディスクカートリッジを覆うように前記支持本体に取り付けられたとき、前記シャッタ駆動部材の第３の凸部が前記第３の溝に挿入されるよう、前記第３の溝と連通した切り欠きを有する。
ある好ましい実施形態において、前記第３の溝と連通した切り欠きに前記シャッタ駆動部材の第３の凸部が挿入し得る位置において前記カバーに対して前記シャッタ駆動部材を固定するための固定構造を少なくとも前記シャッタ駆動部または前記カバーが備える。
ある好ましい実施形態において、前記シャッタ駆動部の係合部は、前記第１のディスクカートリッジの回転部材に設けられたギア部およびギア部を挟む第１および第２の切り欠きに係合するラックならびに第１および第２の係合部を有し、前記第１および第２の係合部は、前記ラックを挟むようにラックに対して弾性的に支持されている。
ある好ましい実施形態において、前記第１の係合部は凸部を有し、前記第１のディスクカートリッジのシャッタを開放させる場合に前記第２の係合部より先に前記回転部材と接触し、前記支持本体は前記第１の係合部の凸部と係合するガイド溝を有し、前記ガイド溝は、前記第１のディスクカートリッジのシャッタが開放するように前記シャッタ駆動部材を移動させた場合、前記第１の係合部が前記第１のディスクカートリッジの回転部材の第１の切り欠き以外の部分と接触して、前記回転部材を駆動させないよう、前記第１の係合部の凸部を駆動し、第１の係合部を退避させる。
ある好ましい実施形態において、前記支持本体の突起部は、前記第２のディスクカートリッジにおいて、前記ディスクのセンターホール内に突出するように設けられた突起と干渉しないように、２つの切り欠き部を有する。
ある好ましい実施形態において、前記支持本体は、前記回転つまみを収納する収納部と前記第１のディスクをクリーニングするためのクリーニング液のボトルを収納する収納部とを有する。
【図面の簡単な説明】  図１は、本発明によるディスククリーニング装置の第１の実施形態を示す分解斜視図である。
図２は、図１のディスククリーニング装置に第１のディスクカートリッジを保持した状態を示す平面図である。
図３は、図２における第１のディスクカートリッジのシャッタを開放した状態を示す平面図である。
図４は、図３における弾性部材を示す断面図である。
図５は、図１のディスククリーニング装置に第２のディスクカートリッジを保持した状態を示す平面図である。
図６は、図３におけるディスククリーニング装置を示す断面図である。
図７は、図５におけるディスククリーニング装置を示す断面図である。
図８は、図１のディスククリーニング装置に回転つまみとクリーニング液ボトルを収納した状態を示す斜視図である。
図９は、本発明によるディスククリーニング装置の第２の実施形態を示す分解斜視図である。
図１０（ａ）は、図９のディスククリーニング装置の平面図であり、（ｂ）は支持本体に取り付けられたシャッタ駆動部材の断面図である。
図１１は、図９のディスククリーニング装置において、シャッタ駆動部材をスライドさせた状態を示す平面図である。
図１２は、図９のディスククリーニング装置において、シャッタ駆動部材をスライドさせた他の状態を示す平面図である。
図１３は、図９のディスククリーニング装置において、シャッタ駆動部材をスライドさせたさらに他の状態を示す平面図である。
図１４は、本発明によるディスククリーニング装置の第３の実施形態を示す分解斜視図である。
図１５は、図１４のディスククリーニング装置においてカバーを開放させた状態を示す斜視図である。
図１６（ａ）および（ｂ）は、図１４のディスククリーニング装置においてカバーを開放させた状態を示す上面図および側面図である。
図１７（ａ）は、図１４のディスククリーニング装置の上面図であり、（ｂ）は、シャッタ駆動部材の断面である。
図１８（ａ）は、カバーの裏面図であり、（ｂ）はその一部拡大図である。
図１９は、第１のカートリッジを示す斜視図である。
図２０は、第１のカートリッジを示す分解斜視図である。
【発明を実施するための最良の形態】  まず、本発明のディスククリーニング装置に適合するディスクカートリッジを説明する。図１９および図２０は、本発明のディスククリーニング装置に装填可能な第１のディスクカートリッジ３００の一例を示している。図１９および図２０に示すように、ディスクカートリッジ３００は上体３１１および下体３１２からなるカートリッジ本体３１０と、カートリッジ本体３１０に収納されたディスク１０と、下体３１２に設けられた開口３１２ｗと、開口３１２ｗを外部に対して開閉するシャッタ部３２０と、回転部材３３０とを備えている。
図に示すように、上体３１１にはディスク１０の一面のほぼ全体を露出する開口が設けられている。このため、ディスク１０がカートリッジ本体３１０に収納されている状態において、ディスク１０の一面、たとえばラベル面が上体３１１の開口から露出する。下体３１２の内面にはシャッタ部の回転軸となる回転支軸３１２ａ、３１２ｂが設けられている。また、下体３１２の外面には位置決め穴３１５ａ、３１５ｂが設けられている。カートリッジ本体３１０の側面には開口３１２ｇが設けられている。
シャッタ部３２０は、第１のシャッタ３２１および第２のシャッタ３２２を含む。第１のシャッタ３２１および第２のシャッタ３２２には案内溝３２１ｂ、３２２ｂおよび回転支軸３１２ａ、３１２ｂが挿入される回動孔３２１ａ、３２２ａがそれぞれ設けられている。
回転部材３３０は、平坦なリング状部およびリング状部の外側に形成された円筒状の側面を有している。リング状部のシャッタ部３２０と対向する面には案内溝３２１ｂ、３２２ｂに挿入されるリンク支軸３３０ａ、３３０ｂが設けられている。リング状部にはさらに切り欠き部３３０ｗが設けられている。また、側面には第１の切り欠き部３３１、第２の切り欠き部３３２およびこれらに挟まれたギア部３３３が形成されている。これらはシャッタ操作部となる。
ディスクカートリッジ３００はロック部材３２５をさらに備え、支軸３１２ｃの周りに回転可能なように支持される。ロック部材３２５は凸部３２５ａを有し、シャッタ部３２０が閉塞している状態において、凸部３２５ａは第２の切り欠き部３３２と係合し、回転部材３３０が回転するのを防止する。
回転部材３３０は案内溝３２１ｂ、３２２ｂおよびリンク支軸３３０ａ、３３０ｂによってシャッタ部３２０と係合しており、回転部材３３０を回転させることにより、シャッタ部３２０が開口３１２ｗを閉塞した状態および開放した状態にすることができる。回転部材３３０を回転させるには、カートリッジ本体３１０の側面に設けられた開口３１２ｇから露出した第１の切り欠き部３３１、第２の切り欠き部３３２およびギア部３３３をディスク装置などに設けられたシャッタ開閉機構と係合させる。
このように、第１のディスクカートリッジは、片面を露出してディスクを収納し、側面に位置する操作部をディスクと平行な方向にスライドさせることによって、回転部材に係合したシャッタを開放させ、ディスクの信号記録面の一部を露出させる。第１のディスクカートリッジは、好ましくは、Ｂｌｕ−ｒａｙ  Ｄｉｓｃカートリッジである。なお、第１のディスクカートリッジ、必ずしも図１９および図２０に示す構造とまったく同じ構造を備えている必要はなく、片面を露出してディスクを収納し、側面に位置する操作部をディスクと平行な方向にスライドさせることによって、回転部材に係合したシャッタを開放させ、ディスクの信号記録面の一部を露出させる構造を備えておればよい。また、操作部は、他の構造を備えていてもよいが、第１の切り欠き部３３１、第２の切り欠き部３３２およびギア部３３３から構成されることが好ましい。
本発明のディスククリーニング装置に装填可能な第２のディスクカートリッジは、特開平１１−２７３３１３号公報に示されているカートリッジと同じ構造を備えている。より具体的には、矩形型および密閉型でスライド式シャッタを備えている。シャッタをスライドさせることにより、光ディスクの信号記録面およびディスクをチャッキングする非記録領域を露出する開口が現れる。好ましくは、第２のディスクカーカートリッジはＤＶＤ−ＲＡＭである。
（第１の実施形態）
以下、図面を参照しながら、本発明によるディスククリーニング装置の第１の実施形態を説明する。
図１に示すように、ディスククリーニング装置１は、支持本体１１、回転つまみ２１、シャッタ駆動部材３１、蓋材４１を備えている。これらの部材は合成樹脂等によって好適に形成される。また、これらの部材は、同じ材料を用いて形成される必要はなく、各部材に要求される強度や外観等を考慮して、各部材に最適な材料が決定される。
支持本体１１には、第１のディスクカートリッジ３００を保持するための第１の保持面１２ａと、第１の保持面１２ａから垂直上方向に延びた２つの第１の側壁１２ｂと、第１の保持面１２ａから垂直上方向に延びた第１の後端壁１２ｃが形成されている。
また支持本体１１には、第２のディスクカートリッジ５１（図５）を保持するための第２の保持面１１ａと、第２の保持面１１ａから垂直上方向に延びた２つの第２の側壁１１ｂと、第２の保持面１１ａから垂直上方向に延びた第２の後端壁１１ｃが形成されている。
第２の保持面１１ａの略中央には、ディスク１００のセンターホール周辺の非記録領域と接触してディスク１００を支持するディスク支持面１３と、ディスク１００のセンターホールと嵌合するディスク支持面１３と同心であり、２つのＤカット状の切り下記１４ａを持つ突起部１４が形成されている。
また第１の保持面１２ａは、第２の保持面１１ａとディスク支持面１３との間の高さに位置している。これについては詳しく後述する。
シャッタ駆動部材３１は、係合部３１ｘおよびつまみ部３１ｂを含む。係合部３１ｘは第１のディスクカートリッジ３００の回転部材に設けられた操作部と係合する構造を備えている。具体的には、係合部３１ｘはギア部３３３ならびに第１および第２の切り欠き３３１、３３２と係合するラック部３１ａならびに第１および第２の係合部３１ｆ、３１ｇを有する。第１および第２の係合部３１ｆ、３１ｇは、ラック部３１ａを挟むようにラック部３１ａに対して弾性的に支持されている。シャッタ駆動部材３１は、支持本体１１に設けられた溝部１１ｄにスライド自在に係合する凸部を有する。溝部１１ｄは、第１のディスクカートリッジ３００の回転部材３３０が設けられた側面に近接し、かつ、平行に形成されている。
係合部３１ｘは、ロック部３１ｃを有し、シャッタ駆動部材３１を使用しない時は支持本体１１の溝部１１ｄに連通している第１のロック系合部１１ｅに係合しており、シャッタ駆動部材３１を使用して、シャッタ３２０を開放状態に保持する時はシャッタ駆動部材３１のロック部３１ｃは支持本体１１の溝１１ｄに連通している第２のロック係合部１１ｆに係合している。
シャッタ駆動部材３１が外れないように蓋材４１でラック部３１ａを覆う。蓋材４１は２つの係止爪４１ａを有し、シャッタ駆動部材３１が外れないよう、支持本体１１に設けられた２つの係止壁１１ｇに係り止めされる。蓋材４１は、係合部３１ｘの少なくとも一部を支持本体１１とで挟んでおればよい。
弾性部材１６は、シャッタ駆動部材３１側の第１の側壁１２ｂとは反対側の第１の側壁１２ｂに設けられている。この弾性部材１６は、第１のディスクカートリッジ３００をシャッタ駆動部材３１側に付勢する役割をする。
シャッタストッパ１５は、第２の保持面１１ａから突出するように垂直上方向に形成され、第２の保持面１１ａに第２のディスクカートリッジ５１を保持した時、シャッタストッパ１５によりシャッタ５２を開放状態で係止する。
図６および図７に示すように、回転つまみ２１は突起部１４と嵌合する凹部２１ａと滑り止め部２１ｂとを含む。凹部２１ａは回転可能なように突起部１４と嵌合する。滑り止め部２１ｂはディスク１００のセンターホール周辺の非記録領域と当接し、回転つまみ２１の回転によりディスク１００をスリップさせることなく回転させる。
支持本体１１の前端部に回転つまみ収納部１７とクリーニング液ボトル収納部１８が設けられている。
次に、第１のディスクカートリッジ３００および第２のディスクカートリッジ５１に収納されているディスク１００の信号記録面をクリーニングする方法について、図２から図７を用いて説明する。
図２は、第１のディスクカートリッジ３００をディスククリーニング装置１に保持した状態を示す。
支持本体１１の前端部においてシャッタ駆動部材３１のロック部３１ｃが第１のロック係合部１１ｅに係合している状態で、シャッタ３２０が閉塞した第１のディスクカートリッジ３００をディスククリーニング装置１の第１の保持面１２ａにシャッタ面を上にして保持する。即ち、ディスクの信号記録面が上方になり、開口から露出したレベル面が支持本体１１と対向するように保持する。第１のディスクカートリッジ３００は対向する一対の第１の側壁１２ｂと第１の後端壁１２ｃにより位置規制される。また同時に、図４に示すように、弾性部材１６が、第１のカートリッジ３００の側壁にある凹部３１２ｔに係合する。このため、第１のカートリッジ３００はシャッタ駆動部材３１側に付勢され、上方向に抜けないように押圧固定される。
このとき、第１のディスクカートリッジ３００に収納されているディスク１００のセンターホール周辺の非記録領域はディスク支持面１３と接触し支持される。第１のディスクカートリッジ３００が閉塞状態にある時、シャッタ３２０にはディスク１００のセンターホールと重なる領域に孔が形成されている。この孔には、ディスク１００の記録領域の傷付きを防止する三つの突起３２０ｃが形成されている。突起部１４はディスク１００のセンターホールに嵌合するが、シャッタ３２０の突起３２０ｃとの干渉を避けるために２つのＤカット状切り欠き１４ａが施されている。なお、突起部１４の中心Ｃとシャッタ駆動部材３１が設けられている側の第１の側壁１２ｂとの距離Ｌ１は、突起部１４の中心Ｃと他方の第１の側壁１２ｂとの距離Ｌ２よりも長くなっている。これは、ディスクカートリッジ３００において、ディスク１００がディスクカートリッジの中心から少しオフセットされた位置において保持されているからである。
ディスクカートリッジ３００を上述したように装填した後、シャッタ駆動部材３１のつまみ部３１ｂを矢印Ａ方向に移動させると係合部３１ｘのラック部３１ａがロック部材３２５（図２０）を押した状態で、第１の係合部３１ｆが第１の切り欠き３３１と係合する。これにより、回転部材３３０のロック部材３２５によるロックから解除され、回転可能になる。このため、シャッタ駆動部材３１をさらに矢印Ａの方向に移動させることにより、第１の係合部３１ｆが回転部材３３０を回転させる。シャッタ開閉操作部３１がさらに移動すると、ラック部３１ａが回転部材３３０のギア部３３３と噛み合い、さらに第２の係合部３１ｇが第２の切り欠き部３３２と係合する。これにより、回転部材３３０の回転が進み、シャッタ３２０が図３に示すように開放し、ディスク１００の信号記録面が外部に露出する。さらにラック部３１ａを後端部へ移動し、ロック部３１ｃが第２のロック系合部１１ｆに係合した場所で開放終了となる。この状態、つまり、シャッタ３２０が開放されて支持本体１１に第１のカートリッジ３００が保持されている状態では、第１のカートリッジ３００の回転部材３３０とシャッタ駆動部材３１とが係合している。このため、第１のカートリッジ３００を取り出すことはできない。
この状態で、回転つまみ２１を突起部１４に嵌合させて回転することにより、回転つまみ２１とディスク１００との摩擦によってディスク１００を回転させることができる。ディスク１００の信号記録面をクリーニングするには、クリーニング液ボトル７１に入ったクリーニング液をクリーニングクロスに付け、クリーニングクロスをディスク１００に当てながら、ディスク半径方向に移動させて、ディスク１００の信号記録面に付着した塵埃等を拭取ればよい。外部に露出した信号記録面がクリーニングできれば、回転つまみ２１をさらに回転しディスク１００を回転させ、前述のクリーニング操作を繰り返すことにより、ディスク１００の信号記録面全周をクリーニングすることができる。クリーニングが終了すれば、図３に示すシャッタ駆動部材３１のつまみ部３１ｂを矢印Ｂ方向に移動させることにより、上述の逆の動作によって回転部材３３０が回転し、シャッタ３２０は図２に示すように閉塞する。この状態で、第１のディスクカートリッジ３００を支持本体１１から取り外すことができる。
図５は、第２のディスクカートリッジ５１をディスククリーニング装置１に保持した状態を示す。第２のディスクカートリッジ５１は矩形形状で、前端部にコの字型のシャッタ５２が左右方向にスライド自在に装着されている。
第２のディスクカートリッジ５１をディスククリーニング装置に装填するには、まず、第２の保持面１１ａにシャッタ５２を開放し、裏向きの状態で保持する。即ち、ディスク１００の信号記録面を上方に露出した向きに保持する。このとき、第２のディスクカートリッジ５１は支持本体１１の対向する一対の第２の側壁１１ｂで左右方向が規制され、第２の後端壁１１ｃで後端部が規制され、シャッタストッパ１５で前端部が規制される。これにより、シャッタ５２が開放し、ディスク１００の信号記録面が外部に露出した状態で支持本体１１に保持される。
また、このとき第２のディスクカートリッジ５１に収納されているディスク１００のセンターホール周辺の非記録領域はディスク支持面１３と接触し支持される。突起部１４はディスク１００のセンターホールと嵌合する。なお、突起部１４の中心Ｃから２つの第２の側壁１１ｂまでの距離は等しくなっている。
この状態で、回転つまみ２１を突起部１４に嵌合させて回転することにより、ディスク１００を回転させることができる。ディスク１００の信号記録面のクリーニング方法は、前述した第１のディスクカートリッジ３００に入ったディスク１００のクリーニング方法と同じであるので詳述するのは省略する。クリーニングが終了すれば、第２のディスクカートリッジ５１を支持本体１１から取り外すことで、シャッタ５２は内蔵されているバネ（図示なし）により自動でスライドし閉塞する。
次に、第１の保持面１２ａと第２の保持面１１ａとディスク支持面１３との高さ関係について説明する。図６および図７はそれぞれ、第１および第２のディスクカートリッジ３００、５１が第１および第２の保持面１２ａ、１１ａに保持された断面図である。
ディスク支持面１３でディスク１００を受け止め支持し、突起部１４にディスク１００のセンターホールが嵌合している。
第１および第２のディスクカートリッジ３００、５１の厚みは略同じであるが、片面を露出させた第１のディスクカートリッジ３００と、密閉型の第２のカートリッジ５１とは、内部構造が違う。即ち、ディスクカートリッジの上下面に対してディスク１００の収納位置が異なる。
このため、仮に同じ保持面に各々のディスクカートリッジを保持し、一つのディスク支持面１３でディスク１００を支持すると、ディスク１００の信号記録面がディスクカートリッジの内壁に接触する。この状態で、回転つまみ２１によりディスク１００を回転させると、信号記録面に傷が付く。
このような傷付きを防止するために、第１および第２の保持面１２ａ、１１ａの高さを変えている。具体的には、第２の保持面１１ａとディスク支持面１３との間に第１の保持面１２ａが位置するように、つまり第１の保持面１２ａは第２の保持面１１ａよりも高い位置に形成されている。
これによって、第１および第２のディスクカートリッジ３００、５１を各々保持し、ディスク１００がディスク支持面１３に支持された各々の状態において、ディスク１００は第１および第２のディスクカートリッジ３００、５１の内壁空間の略中央に位置することができる。
以上はディスクカートリッジに入ったディスク１００のクリーニングについて説明したが、ディスクカートリッジに収納されていないディスク１００をクリーニングすることもできる。
この場合、ディスク１００のセンターホールを突起部１４に嵌合させ、ディスク１００のセンターホールの周囲の非記録領域の下面をディスク支持面１３によって受け止め支持させる。この状態で、回転つまみ２１を突起部１４に嵌合させて回転することにより、ディスク１００を回転させることができる。ディスク１００の信号記録面のクリーニング方法は、前述した第１のディスクカートリッジ３００に入ったディスク１００のクリーニング方法と同じであるので詳述するのは省略する。
以上のように、本実施形態のディスククリーニング装置によれば、ディスク片面を露出し、回転部材が回転することによりシャッタが開閉する第１のディスクカートリッジ３００に入ったディスク、矩形型および密閉型でスライド式シャッタを備えた第２のディスクカートリッジ５１に入ったディスク、およびディスクカートリッジには入っていない単体ディスクをクリーニングすることができる。
さらに図８および図１に示すように、支持本体１１に回転つまみ２１、クリーニング液ボトル７１を収納する収納凹部１７および１８を備えているので、収納性に優れる。
上記実施の形態で説明した蓋材４１は、支持本体１１と別体に構成したが、樹脂成形によるヒンジ形状で一体構成することもできる。
さらにはシャッタ駆動部材３１が、支持本体１１から外れないように噛み合わせ形状にすれば、蓋材を省略することも可能であり、部品点数削減による低コスト化が図れる。
上記実施の形態で説明した第２のディスクカートリッジ５１は、シャッタ５２を開放状態で保持したが、支持本体１１の前端部に第２のディスクカートリッジ５１のシャッタ５２を開放するスライド機構を取り付けてもよい。これによりシャッタ５２が閉塞状態でも保持することができ、保持が簡単になる。
上記実施の形態で説明した回転つまみ２１は回転自在であるので、ディスク１００の回転度合いが把握しにくく、クリーニングした領域が把握しづらい。従って、シャッタの開口幅よりも小さい距離だけ、その都度回転できるように、回転つまみ２１に目盛りもしくは目印を取り付けてもよい。さらには、回転つまみ２１と突起部１４が上記回転角度づつ軽く係合できるような構造にしても良い。
（第２の実施形態）
以下、図面を参照しながら、本発明によるディスククリーニング装置の第２の実施形態を説明する。
図９はディスククリーニング装置５０１の分解斜視図である。ディスククリーニング装置５０１は、支持本体１１１と、シャッタ駆動部材１３１とを備える。ディスククリーニング装置５０１は、さらに回転つまみを備える。しかし、回転つまみは第１の実施形態の回転つまみ２１と同じ構造を備えているので図９では示していない。また、本実施形態において、第１の実施形態と同じ構成要素に同じ参照符号を付している。
図１０（ａ）は、シャッタ駆動部材１３１が取り付けられた支持本体１１１の平面図である。また、図１０（ｂ）は、支持本体１１１に取り付けられたシャッタ駆動部材１３１のスライド方向と直交する断面図である。図９、図１０（ａ）および（ｂ）を参照しながら、ディスククリーニング装置５０１の構造をさらに詳細に説明する。
支持本体１１１は、第１の実施形態と同様、第１の保持面１２ａと、第２の保持面１１ａと、ディスク支持面１３と、突起部１４と、シャッタストッパ１５とを含む。これらは、第１の実施形態における対応する構成要素と同様に機能する。また、第２のカートリッジ５１のための前端壁１５ａが第２の保持面１１ａに設けられている。
第２の保持面１１には、第１のディスクカートリッジ３００の先端部分と当接し、第１のカートリッジ３００を保持する凸部１２ｄが設けられている。支持本体１１１において、第１のディスクカートリッジ３００を配置すべき位置が分かりやすくなるように、凸部１２ｄの外側に第１のディスクカートリッジ３００の外形に沿った溝を設けてもよい。
支持本体１１１の表面である第１の保持面１２ａおよび第２の保持面１１ａが設けられている面には、溝１１ｄおよびガイド溝１１ｈが設けられている（図１０において斜線でそれぞれ示している）。また、支持本体１１１の裏面には、溝１１ｄ’が設けられている。溝１１ｄ、１１ｄ’は、支持本体１１１に第１のディスクカートリッジ３００を保持させたとき、第１のディスクカートリッジ３００の回転部材３３０が設けられた側面とおおよそ平行になっている。溝１１ｄの一端には係り止め部１１ｍが設けられている。
シャッタ駆動部材１３１は、係合部３１ｘと、つまみ部３１ｂとを含む。係合部３１ｘは、第１の実施形態と同様、第１および第２の係合部３１ｆ、３１ｇとラック部３１ａとを有している。また、第１の係合部３１ｆには、凸部３１ｈが設けられている。シャッタ駆動部材１３１には、また、互いに対向するように突出し、支持本体１１１の溝１１ｄ、１１ｄ’と係合する凸部３１ｉ、３１ｉ’が設けられている。
図１０（ａ）および（ｂ）に示すように、シャッタ駆動部材１３１の凸部３１ｉ、３１ｉ’が、係り止め１１ｍの設けられた一端から溝１１ｄ、１１ｄ’にそれぞれ挿入され、シャッタ駆動部材１３１が、溝１１ｄ、１１ｄ’に沿ってスライドするように支持本体１１１に取り付けられている。支持本体１１１の両面から挟むようにシャッタ駆動部材１３１の凸部３１ｉ、３１ｉ’が係合しているので、シャッタ駆動部材１３１は、支持本体１１１から脱離することなく、スライド移動することができる。また、係り止め１１ｍにより、溝１１ｄ、１１ｄ’の挿入した一端から凸部３１ｉ、３１ｉ’が抜けないようになっている。
本実施形態では、支持本体１１１の表裏に溝を設け溝に係合する一対の凸部で支持本体１１１を挟みこむことにより、シャッタ駆動部材１３１の脱離を防止している。しかし、シャッタ駆動部材１３１が、第１のディスクカートリッジの回転部材３３０が設けられた側面と平行にスライド可能であり、支持本体１１１から容易に脱離しなければ、他の構造によって、シャッタ駆動部材１３１と支持本体１１１とを係合させてもよい。
第１のディスクカートリッジの回転部材３３０が設けられた側面と平行な溝が支持本体１１１に設けられており、その溝に係合する凸部がシャッタ駆動部材１３１に設けられておれば、安定したスライド動作をシャッタ駆動部材１３１は行うことができる。この溝は、必ずしも、支持本体１１１の表面あるいは裏面に設けられている必要はなく、支持本体１１１の側面に設けられていてもよい。
シャッタ駆動部材１３１が、支持本体１１１に取り付けられた状態において、支持本体１１１のガイド溝１１ｇには、第１の係合部３１ｆの凸部が挿入されている。ガイド溝１１ｇは溝１１ｄに沿って設けられているが、直線状ではなく、所定のプロファイルを有している。シャッタ駆動部材１３１がスライド移動すると、このプロファイルに従って第１の係合部３１ｆの凸部が駆動され、第１の係合部３１ｆが支持本体１１１に保持された第１のディスクカートリッジ３００に接近あるいは離間する。より具体的には、第１のディスクカートリッジ３００のシャッタが開放するようにシャッタ駆動部材１３１をスライド移動させた場合、第１の係合部３１ｆが第１のディスクカートリッジ３００の回転部材３３０の第１の切り欠き３３１以外の部分と接触して、回転部材３３０を駆動させないよう、第１の係合部３１ｆを回転部材３３０から離間させる。この動作を図１０および図１１から図１３を参照して詳細に説明する。
図１１から図１３は、下体３１２を取り去った状態で、第１のディスクカートリッジ３００を支持本体１１１に保持させて、シャッタ駆動部材１３１をスライドさせた場合のディスククリーニング装置および第１のディスクカートリッジ３００の構造を示している。分かり易すく図示するため、ロック部材３２５は省略されている。図１０（ａ）および図１１に示すように、第１のディスクカートリッジ３００のシャッタ３２０が閉塞している状態においてスライド部材１３１を矢印Ａの方向へ移動させる。図１０（ａ）に示すように、ガイド溝１１ｈが直線状に延びているため、第１の係合部３１ｆは退避することなく移動する。第１の係合部３１ｆが第１のディスクカートリッジ３００の回転部材３３０に接近すると、第１の係合部３１ｆの凸部３１ｈは、ガイド溝１１ｈが第１のディスクカートリッジ３００から離間するように屈曲した部分１１ｇに達する。このため、図１１に示すように、ガイド溝１１ｈのプロファイルに従って、凸部３１ｈが移動し、第１の係合部３１ｆが回転部材３３０と接触しないよう退避する。
図１２に示すように、シャッタ駆動部材１３１がさらに移動すると、ガイド溝１１ｈのプロファイルに従い、凸部３１ｈは回転部材３３０に接近するよう駆動される。このため、第１の係合部３１ｆが回転部材３３０の第１の切り欠き３３１と係合する。そして、シャッタ駆動部材１３１の移動にともなって回転部材３３０が矢印Ｄで示す方向に回転する。また、回転部材３３０に係合したシャッタ３２０が開放動作を開始する。
図１３に示すように、シャッタ駆動部材１３１の移動にともなう回転部材３３０の回転が進むと、ギア部３３３がラック３１ａと係合する。図１０（ａ）に示すように、このとき、凸部３１ｈはガイド溝１１ｈの太くなった部分に達している。このため、回転部材３３０の回転にともなって、回転部材３３０からわずかに離間することができ、第１の係合部３１ｆが第１の切り欠き３３１から脱離し、第１の切り欠き３３１とギア部３３３との間の側面に乗り上げる。その後、回転部材３３０は、ラック３１ａとギア部３３３との係合により回転し、さらに第２の係合部３１ｇと第２の切り欠き３３２との係合により、シャッタ３２０が完全に開放するまで回転する。これにより、第１のディスクカートリッジ３００に収納された光ディスク１が露出開口３１２ｗから露出するようになる。
なお、図３に示すように、シャッタ３２０が完全に開放した状態において、第２の係合部３１ｇは回転部材３３０の第２の切り欠き３３２にと係合している。このため、第２の係合部３１ｇはガイド溝によって駆動しなくても回転部材３３０の第２の切り欠き３３２と適切なタイミングで係合する。また、シャッタを閉じる動作は、各部が前述と逆に動作することにより達成される。第２のディスクカートリッジ５１は第１の実施形態で説明したように保持することができる。
このように本実施形態によれば、シャッタ駆動部材１３１のスライド動作によって、第１のディスクカートリッジ３００の回転部材３３０と係合し、シャッタを開放させることができる。
（第３の実施形態）
以下、図面を参照しながら、本発明によるディスククリーニング装置の第３の実施形態を説明する。
図１４はディスククリーニング装置６０１の分解斜視図である。ディスククリーニング装置６０１は、支持本体２１１と、シャッタ駆動部材２３１と、カバー２２０とを備える。第２の実施形態と同様、ディスククリーニング装置６０１は、さらに回転つまみを備えるが、回転つまみは第１の実施形態の回転つまみ２１と同じ構造を備えているので、図１４では示していない。また、本実施形態においても、第１あるいは第２の実施形態と同じ構成要素に同じ参照符号を付している。
本実施形態のディスククリーニング装置６０１は、支持本体２１１に保持された第１のカートリッジ３００を覆うためのカバー２２０を備え、カバー２２０にシャッタ駆動部材２３１が取り付けられている点で、第２の実施形態のディスククリーニング装置５０１と異なっている。
図１５ならびに図１６（ａ）および（ｂ）はカバー２２０を開けた状態で示したディスククリーニング装置６０１の斜視図、上面図および側面図である。
図１７（ａ）および（ｂ）カバー２２０を開けた状態で示したディスククリーニング装置６０１の上面図およびシャッタ駆動部材２３１のスライド方向と垂直な断面図である。図１８（ａ）はカバー２２０を支持本体２１１側から見た平面図である。図１８（ｂ）は、その一部を拡大した図である。これらの図を参照してディスククリーニング装置６０１の構造を説明する。
支持本体２１１は、第２の実施形態と同様、第１の保持面１２ａと、第２の保持面１１ａと、ディスク支持面１３と、突起部１４と、シャッタストッパ１５と、前端壁１５ａと、凸部１２ｄとを含む。これらは、第２の実施形態における対応する構成要素と同様に機能する。また、支持本体１１１には、第２の実施形態と同様、溝１１ｄ、１１ｄ’およびガイド溝１１ｈが設けられている。
カバー２２０は、ディスククリーニング操作中、操作を行う者が、第１のカートリッジ３００を手指で押えながらシャッタの開閉操作を行うことにより、カートリッジ本体３１０やシャッタ３２０とディスク１０とが接触し、ディスク１０に傷などが生じるのを防止するため、支持本体２１１に保持された第１のカートリッジ３００を覆う。このため、カバー２２０は、支持本体１１１と分離していてもよい。しかし、操作性を考慮すると、カバー２２０は、支持本体２１１の一辺近傍において回転可能なように支持されていることが好ましい。このために、カバー２２０は一対の係合凸部２２０ａを有する。支持本体２１１は、その一辺近傍において係合凸部２２０ａが挿入され、カバー２２０を回転可能に支持するための一対の受け部２１１ａを有している。
カバー２２０は、第２のディスクカートリッジ５１のディスクをクリーニングする場合には不要である。このため、第２のディスクカートリッジ５１をクリーニングする場合にはカバー２２０を取り外せるよう、係合凸部２２０ａと受け部２１１ａとは着脱可能なように係合することが好ましい。
カバー２２０は、支持本体２１１に保持された第１のカートリッジ３００を覆うため、第１のカートリッジ３００が支持本体２１１に正しく保持されていることがカバー２２０により覆った状態でも分かるよう、好ましくは、カバー２２０の少なくとも一部の領域において第１のカートリッジ３００が見える程度に透明であることが好ましい。より好ましくは、カバー２２０全体が透明な樹脂で形成されている。
カバー２２０は、第１のカートリッジ３００のシャッタが開放したときに露出する開口部３１２ｗに対応する開口部２２０ｃを有する。開口部２２０ｃの近傍は、支持本体２１１側に向かって延びる側壁２２０ｇを形成していることが好ましい。これにより、開口部２２０ｃにおいて、カバー２２０と第１のカートリッジ３００との間隙を小さくし、間隙に手指などが入らないようにすることができる。カバー２２０の係合凸部２２０ａが設けられた辺と対向対抗する辺には前壁２２０ｆが形成されている。また、シャッタ駆動部材２３１が取り付けられる辺と対向する辺には側壁２２０ｅが形成されている。側壁２２０ｇ、２２０ｅおよび前壁２２０ｆは曲面によって連続していてもよい。
側壁２２０ｅと前壁２２０ｆとの間には、切り欠き２２０ｂが設けられており、カバー２２０が支持本体２１１の側壁２１１ｄと干渉するのを防止する。前壁２２０ｆは、カバー２２０を閉じた状態で支持本体２１１の第２の支持面１１ａと当接する。
また、図１８（ａ）に示すように、カバー２２０の支持本体２１１と対向する面には複数の凸状位置規制部２２０ｈが設けられている。位置規制部２２０ｈは、カバー２２０を閉じた状態で第１のディスクカートリッジ３００が支持本体２１１から浮き上がらないよう垂直方向に位置を規制する。ただし、位置規制部２２０ｈは、第１のディスクカートリッジ３００と接触しないことが好ましい。接触するとカバー２２０を手指などで押えることにより、第１のディスクカートリッジ３００へ外力がおよぶからである。
支持本体２１１には、ピン２１１ｋが設けられており、カバー２２０を閉じた状態でカバー２２０に設けられた穴２２０ｋに挿入される。これにより、カバー２２０と支持本体２１１との水平方向における位置合わせを行う。また、クリーニング動作中に外力が加わって、カバー２２０が支持本体２１１に対して位置ずれするのを防止する。
カバー２２０の一部にはクリーニングの手順などを示したラベルを貼付する領域２２０ｂを設けてもよい。特に、シャッタ駆動部材２３１に近接してラベルを貼付する領域２２０ｂを設ける場合、クリーニングの手順と合わせて、シャッタ駆動部材２３１の位置をラベルに示すことができる。たとえば、第１のディスクカートリッジ３００を支持本体２１１に保持したり、クリーニング後、第１のディスクカートリッジ３００から取り出す場合のシャッタ駆動部材２３１の適切な位置をラベル上に示すことができる。したがって、ディスククリーニング装置６０１の操作性を向上させることができる。
次に、シャッタ駆動部材２３１を説明する。シャッタ駆動部材２３１は、つまみ部３１ｂ’と係合部３１Ｘとを含む。係合部３１Ｘの構造は第２の実施形態と同じである。シャッタ駆動部材２３１は、互いに対向するように突出した凸部２３１ｄ、２３１ｄ’を有する。図１７（ａ）および図１８（ａ）に示すように、カバー２２０の支持本体２１１と対向する面およびその反対側に位置する面に溝２２０ｄ’、２２０ｄが設けられている。溝２２０ｄ’、２２０ｄは、カバー２２０が閉じられた状態において、第１のディスクカートリッジ３００の回転部材３３０が設けられた側面と平行に伸びている。溝２２０ｄの一端には、係り止め２３１ｍが設けられている。
シャッタ駆動部材２３１の凸部２３１ｄ’、２３１ｄが係り止め２３１ｍが設けられた一端から溝２２０ｄ’、２２０ｄにそれぞれ挿入され、シャッタ駆動部材２３１が、溝２２０ｄ’、２２０ｄに沿ってスライドするようにカバー２２０に取り付けられている。カバー２２０の両面から挟むようにシャッタ駆動部材２３１の凸部２３１ｄ’、２３１ｄが係合しているので、シャッタ駆動部材１３１は、カバー２２０から脱離することなく、スライド移動することができる。また、係り止め２３１ｍにより、溝２２０ｄから凸部２３１ｄが抜けないようになっている。
第２の実施形態で説明したように、シャッタ駆動部材２３１が、第１のディスクカートリッジの回転部材３３０が設けられた側面と平行にスライド可能であり、カバー２２０から容易に脱離しなければ、他の構造によって、シャッタ駆動部材２３１とカバー２２０とを係合させてもよい。
シャッタ駆動部材２３１は、第１のディスクカートリッジ３００の回転部材３３０を回転させるため、支持本体２１１に第１のディスクカートリッジ３００を配置した後、カバー２２０を閉じ、シャッタ駆動部材２３１を支持本体２１１とも係合させてスライドさせる必要がある。図１７（ｂ）に示すように、支持本体２１１には、第２の実施形態と同様の構造を備えた溝１１ｄ、１１ｄ’が設けられている。また、シャッタ駆動部材２３１も第２の実施形態と同様の構造を備えた凸部３１ｉ、３１ｉ’が設けられている。これらは第２の実施形態で説明したように互いに係合する。しかし、シャッタ駆動部材２３１の凸部３１ｉ’は支持本体２１１の裏面に設けられた溝１１ｄ’と係合する必要がある。
このために、図１４に示すように、支持本体２１１は、溝１１ｄ’と連通した切り欠き２１１ｊを有しカバー２２０を閉じる際、切り欠き２１１ｊからシャッタ駆動部材２３１の凸部３１ｄ’を挿入する。この動作を確実にするために、溝１１ｄ’と連通した切り欠き２ｉｉｊに凸部３１ｉ’が挿入し得る位置において、カバー２２０に対してシャッタ駆動部材２３１を固定するための固定構造を少なくともシャッタ駆動部１３１またはカバー２２０に設けることが好ましい。たとえば、図１８（ｂ）に示すようにシャッタ駆動部１３１が係り止め２１１ｍと当接するように溝２２０ｄ、２２０ｄ’の一端に移動した位置において、シャッタ駆動部１３１が逆方向へ移動しないよう、シャッタ駆動部材２３１に設けたフック２３１ｊおよび支持本体２１１に設けた受け部２２０ｊを当接させる。この位置において、シャッタ駆動部材２３１の凸部３１ｉ’が溝１１ｄ’と連通した切り欠き２１１ｊに挿入し得るよう切り欠き２１１ｊを設けることにより、カバー２２０を閉じる際、確実に凸部３１ｉ’を切り欠き２１１ｊから溝１１ｄ’に係合させることができる。
シャッタ駆動部材２３１のスライド動作による第１のディスクカートリッジ３００のシャッタの開閉動作は第２の実施形態で説明したとおりに行うことができる。
また、前述したように、第２のディスクカートリッジ５１のクリーニングは、カバー２２０を取り外し、第１の実施形態で説明した通りの手順で行うことができる。
このように、本実施形態によれば、シャッタ駆動部材２３１は、カバー２２０に取り付けられている。このため、カバー２２０を閉じなければ、第１のディスクカートリッジ３００のシャッタを開閉できず、収納されたディスクのクリーニングを行うことができない。言い換えれば、第１のディスクカートリッジ３００に収納されたディスクをクリーニングする場合、確実にカバー２２０が閉じられることとなり、クリーニングを行う者の不注意等のよって第１のディスクカートリッジ３００に外力が加わり、ディスクに傷がつくことを防止することができる。
なお、第２および第３の実施形態では、第１の実施形態で説明したような、回転つまみ部およびクリーニング液を収納するスペースを設けていないが、第１の実施形態と同様にこれらの収納するスペースを設けてもよい。
【産業上の利用可能性】  本発明によれば、ディスク片面を露出し回転部材が回転することによりシャッタが開閉する構造のディスクカートリッジに収納されたディスクのクリーニングを行うことのできるディスククリーニング装置が提供される。
また、本発明のディスククリーニング装置によれば形状の異なるディスクカートリッジにディスクを収納した状態とディスク単体のディスクをクリーニングすることができる。
【図１】
2005073970.tif 000002
【図２】
2005073970.tif 000003
【図３】
2005073970.tif 000004
【図４】
2005073970.tif 000005
【図５】
2005073970.tif 000006
【図６】
2005073970.tif 000007
【図７】
2005073970.tif 000008
【図８】
2005073970.tif 000009
【図９】
2005073970.tif 000010
【図１０】
2005073970.tif 000011
【図１１】
2005073970.tif 000012
【図１２】
2005073970.tif 000013
【図１３】
2005073970.tif 000014
【図１４】
2005073970.tif 000015
【図１５】
2005073970.tif 000016
【図１６】
2005073970.tif 000017
【図１７】
2005073970.tif 000018
【図１８】
2005073970.tif 000019
【図１９】
2005073970.tif 000020
【図２０】
2005073970.tif 000021
【手続補正書】
【提出日】平成17年4月1日(2005.4.1)
【手続補正１】
【補正対象書類名】特許請求の範囲
【補正対象項目名】全文
【補正方法】変更
【補正の内容】
【特許請求の範囲】
【請求項１】
ディスクの片面を露出させ、シャッタを開閉するための回転部材を備えた第１のディスクカートリッジを前記露出したディスクの片面と対向するように保持する第１の保持面と、前記第１の保持面よりも突出し、ディスクのセンターホール周辺の非記録領域と接触して前記ディスクを支持するディスク支持面と、前記ディスクのセンターホール内において突出するように前記センターホールと嵌合する突起部とを含む支持本体、
前記第１のディスクカートリッジの回転部材を回転させるシャッタ駆動部材、および
前記ディスクのセンターホール周辺の非記録領域と当接する接触面と、前記突起部と回転可能なように嵌合する凹部とを含む回転つまみ、
を備えたディスククリーニング装置。
【請求項２】
前記支持本体は、スライドすることにより開閉するシャッタを備えた第２のディスクカートリッジを保持する第２の保持面と、前記第２のディスクカートリッジのシャッタを開放した状態で保持するシャッタストッパとをさらに含み、
前記ディスク支持面は、前記第２の保持面よりも突出している請求項１に記載のディスククリーニング装置。
【請求項３】
前記第１の保持面は、前記第２の保持面と前記ディスク支持面との間の高さに位置している請求項２に記載のディスククリーニング装置。
【請求項４】
前記シャッタ駆動部材は、第１のディスクカートリッジの回転部材に設けられたシャッタ操作部と係合する係合部、および、つまみ部を有し、前記第１のディスクカートリッジの前記回転部材が設けられた側面と平行に、前記支持本体に対してスライド移動する請求項１から３のいずれかに記載のディスククリーニング装置。
【請求項５】
前記シャッタ駆動部材が前記支持本体から脱離しないように前記シャッタ駆動部材の係合部の少なくとも一部を前記支持本体とで挟む蓋材をさらに備え、前記蓋材は、前記支持本体に取り付けられている請求項４に記載のディスククリーニング装置。
【請求項６】
前記支持本体は、前記第１のディスクカートリッジをシャッタ駆動部材側に付勢する弾性部をさらに含む請求項１から３のいずれかに記載のディスククリーニング装置。
【請求項７】
前記支持本体は前記保持された第１のディスクカートリッジの回転部材が設けられた側面と平行に形成された第１の溝を有し、
前記シャッタ駆動部材は、前記第１の溝と係合する第１の凸部を有している請求項４に記載のディスククリーニング装置。
【請求項８】
前記支持本体と前記シャッタ駆動部材は、前記シャッタ駆動部材の第１の凸部が前記支持本体の第１の溝から脱離しないように係合している請求項７に記載のディスククリーニング装置。
【請求項９】
前記支持本体は、前記第１の保持面および前記第２の保持面が設けられた第１の面と、前記第１の面の反対側に位置する第２の面とを有し、
前記第１および第２の面は、前記第１のディスクカートリッジの回転部材が設けられた側面と平行に形成された第１および第２の溝をそれぞれ有し、
前記シャッタ駆動部材は、互いに対向するように突出し、前記第１および第２の溝と係合する第１および第２の凸部を有している請求項４に記載のディスククリーニング装置。
【請求項１０】
少なくとも前記支持本体の第１の保持面に保持された第１のディスクカートリッジを覆うカバーをさらに備え、
前記カバーは、前記第１のディスクカートリッジのシャッタが開放したときに露出する開口に対応する開口部を有する請求項１から４のいずれかに記載のディスククリーニング装置。
【請求項１１】
前記カバーは、前記支持本体の一辺近傍において、回転可能なように支持される請求項１０に記載のディスククリーニング装置。
【請求項１２】
前記カバーは、着脱可能なように前記支持本体に支持される請求項１１に記載のディスククリーニング装置。
【請求項１３】
前記カバーは、前記開口部近傍において、前記支持本体に向かって延びる側面を有する請求項１０に記載のディスククリーニング装置。
【請求項１４】
前記カバーは、前記支持本体と対向する面に凸状の位置規制部を有し、前記位置規制部は、前記支持本体に保持された第１のディスクカートリッジが垂直方向に移動するのを規制する請求項１０に記載のディスククリーニング装置。
【請求項１５】
前記カバーは少なくとも一部の領域において、前記支持本体の第１の保持面に保持された第１のディスクカートリッジが見える程度に透明である請求項１０に記載のディスククリーニング装置。
【請求項１６】
前記カバーは前記保持された第１のディスクカートリッジの回転部材が設けられた側面とおよそ平行に形成された第１の溝を有し、
前記シャッタ駆動部材は、前記第１の溝と係合する第１の凸部を有している請求項１０に記載のディスククリーニング装置。
【請求項１７】
前記カバーおよび前記シャッタ駆動部材は、前記シャッタ駆動部材の第１の凸部が前記カバーの第１の溝から脱離しないように係合している請求項１６に記載のディスククリーニング装置。
【請求項１８】
前記カバーは、前記支持本体と対向する第１の面と、前記第１の面の反対側に位置する第２の面とを有し、
前記第１および第２の面は、前記第１のディスクカートリッジの回転部材が設けられた側面と平行に形成された第１および第２の溝をそれぞれ有し、
前記シャッタ駆動部材は、互いに対向するように突出し、前記第１および第２の溝と係合する第１および第２の凸部を有している請求項１０に記載のディスククリーニング装置。
【請求項１９】
前記シャッタ駆動部材は、第３の凸部を有しており、
前記支持本体は、前記保持された第１のディスクカートリッジの回転部材が設けられた側面と平行に形成され、前記シャッタ駆動部材の第３の凸部と係合する第３の溝と、前記カバーが第１のディスクカートリッジを覆うように前記支持本体に取り付けられたとき、前記シャッタ駆動部材の第３の凸部が前記第３の溝に挿入されるよう、前記第３の溝と連通した切り欠きを有する請求項１０に記載のディスククリーニング装置。
【請求項２０】
前記第３の溝と連通した切り欠きに前記シャッタ駆動部材の第３の凸部が挿入し得る位置において前記カバーに対して前記シャッタ駆動部材を固定するための固定構造を少なくとも前記シャッタ駆動部または前記カバーが備える請求項１９に記載のディスククリーニング装置。
【請求項２１】
前記シャッタ駆動部の係合部は、前記第１のディスクカートリッジの回転部材に設けられたギア部およびギア部を挟む第１および第２の切り欠きに係合するラックならびに第１および第２の係合部を有し、前記第１および第２の係合部は、前記ラックを挟むようにラックに対して弾性的に支持されている請求項１０に記載のディスククリーニング装置。
【請求項２２】
前記第１の係合部は凸部を有し、前記第１のディスクカートリッジのシャッタを開放させる場合に前記第２の係合部より先に前記回転部材と接触し、
前記支持本体は前記第１の係合部の凸部と係合するガイド溝を有し、
前記ガイド溝は、前記第１のディスクカートリッジのシャッタが開放するように前記シャッタ駆動部材を移動させた場合、前記第１の係合部が前記第１のディスクカートリッジの回転部材の第１の切り欠き以外の部分と接触して、前記回転部材を駆動させないよう、前記第１の係合部の凸部を駆動し、第１の係合部を退避させる請求項１０に記載のディスククリーニング装置。
【請求項２３】
前記支持本体の突起部は、前記第２のディスクカートリッジにおいて、前記ディスクのセンターホール内に突出するように設けられた突起と干渉しないように、２つの切り欠き部を有する請求項１から３のいずれかに記載のディスククリーニング装置。
【請求項２４】
前記支持本体は、前記回転つまみを収納する収納部と前記第１のディスクをクリーニングするためのクリーニング液のボトルを収納する収納部とを有する請求項１から３のいずれかに記載のディスククリーニング装置。
【手続補正２】
【補正対象書類名】明細書
【補正対象項目名】全文
【補正方法】変更
【補正の内容】
【発明の詳細な説明】
【技術分野】
【０００１】
本発明はカートリッジ内に収納された光ディスクをクリーニングするための装置に関するものである。
【背景技術】
【０００２】
従来のビデオテープに替えて、映像を記録することが可能な大容量の光ディスクが普及してきている。このような光ディスクは記録密度が高いため、データ記録面に埃が付着したり、傷が生じたりすると、データの記録や再生に支障をきたす可能性がある。このため、カートリッジに収納された光ディスクが開発されている。
【０００３】
光ディスクがカートリッジに収納された記録媒体では、カートリッジにシャッタが設けられている。以下、本願明細書では、光ディスクを収納したカートリッジを単にディスクカートリッジと呼ぶ。シャッタは、ディスクカートリッジが記録再生装置に装填された場合に開放され、記録再生を行うヘッドが光ディスクのデータ記録面にアクセス可能となる。記録再生装置からディスクカートリッジが取り出された状態ではシャッタが閉じられている。このため、保管時は埃が付着したり、傷がつかないよう光ディスクが保護される。
【０００４】
このようなシャッタの動作により、通常の使用状態では、ディスクカートリッジの中の光ディスクに埃が堆積することはない。しかし、記録再生装置内では、ディスクカートリッジのシャッタが開放されており、開放された開口から光ディスクに埃が付着する可能性がある。いったん、光ディスクに埃が侵入すると、保管時にはシャッタが閉じられるため、ディスクカートリッジの外部へ埃を排出することは難しい。
【０００５】
この問題を解決するために、ディスクカートリッジ内に収納された光ディスクをクリーニングするディスククリーニング装置が提案されている。
【０００６】
例えば、特許文献１は、シャッタストッパを有する本体を備えたディスククリーニング装置を開示している。シャッタストッパは、スライド動作により開閉するシャッタを開放した状態で保持することができる。
【０００７】
このディスククリーニング装置では、シャッタストッパの位置を移動させることができ、これにより、２種類のカートリッジを装填して光ディスクをクリーニングすることができる。
【特許文献１】特開平１１-２７３３１３号公報
【特許文献２】国際公開第０３／０４１０７６号パンフレット
【発明の開示】
【発明が解決しようとする課題】
【０００８】
しかし、この構造ではスライドにより開閉するシャッタを備えたカートリッジにのみ有効であり、特許文献２に開示されるようなディスクの片面を露出させ、シャッタを開閉するための回転部材を備えたディスクカートリッジには対応できなかった。
【０００９】
本発明は上記課題を解決し、ディスクの片面を露出させ、回転部材を回転させることによりシャッタを開閉させるディスクカートリッジに適合し、簡便な構成で、安定、確実にディスクカートリッジのシャッタを開閉することのできるディスククリーニング装置を提供することを目的とする。
【課題を解決するための手段】
【００１０】
本発明のディスククリーニング装置は、ディスクの片面を露出させ、シャッタを開閉するための回転部材を備えた第１のディスクカートリッジを前記露出したディスクの片面と対向するように保持する第１の保持面と、前記第１の保持面よりも突出し、ディスクのセンターホール周辺の非記録領域と接触して前記ディスクを支持するディスク支持面と、前記ディスクのセンターホール内において突出するように前記センターホールと嵌合する突起部とを含む支持本体、前記第１のディスクカートリッジの回転部材を回転させるシャッタ駆動部材、および前記ディスクのセンターホール周辺の非記録領域と当接する接触面と、前記突起部と回転可能なように嵌合する凹部とを含む回転つまみを備えている。
【００１１】
ある好ましい実施形態において、前記支持本体は、スライドすることにより開閉するシャッタを備えた第２のディスクカートリッジを保持する第２の保持面と、前記第２のディスクカートリッジのシャッタを開放した状態で保持するシャッタストッパとをさらに含み、前記ディスク支持面は、前記第２の保持面よりも突出している。
【００１２】
ある好ましい実施形態において、前記第１の保持面は、前記第２の保持面と前記ディスク支持面との間の高さに位置している。
【００１３】
ある好ましい実施形態において、前記シャッタ駆動部材は、第１のディスクカートリッジの回転部材に設けられたシャッタ操作部と係合する係合部、および、つまみ部を有し、前記第１のディスクカートリッジの前記回転部材が設けられた側面と平行に、前記支持本体に対してスライド移動する。
【００１４】
ある好ましい実施形態において、前記シャッタ駆動部材が前記支持本体から脱離しないように前記シャッタ駆動部材の係合部の少なくとも一部を前記支持本体とで挟む蓋材をさらに備え、前記蓋材は、前記支持本体に取り付けられている。
【００１５】
ある好ましい実施形態において、前記支持本体は、前記第１のディスクカートリッジをシャッタ駆動部材側に付勢する弾性部をさらに含む。
【００１６】
ある好ましい実施形態において、前記支持本体は前記保持された第１のディスクカートリッジの回転部材が設けられた側面と平行に形成された第１の溝を有し、前記シャッタ駆動部材は、前記第１の溝と係合する第１の凸部を有している。
【００１７】
ある好ましい実施形態において、前記支持本体と前記シャッタ駆動部材は、前記シャッタ駆動部材の第１の凸部が前記支持本体の第１の溝から脱離しないように係合している。
【００１８】
ある好ましい実施形態において、前記支持本体は、前記第１の保持面および前記第２の保持面が設けられた第１の面と、前記第１の面の反対側に位置する第２の面とを有し、前記第１および第２の面は、前記第１のディスクカートリッジの回転部材が設けられた側面と平行に形成された第１および第２の溝をそれぞれ有し、前記シャッタ駆動部材は、互いに対向するように突出し、前記第１および第２の溝と係合する第１および第２の凸部を有している。
【００１９】
ある好ましい実施形態において、ディスククリーニング装置は、少なくとも前記支持本体の第１の保持面に保持された第１のディスクカートリッジを覆うカバーをさらに備え、前記カバーは、前記第１のディスクカートリッジのシャッタが開放したときに露出する開口に対応する開口部を有する。
【００２０】
ある好ましい実施形態において、前記カバーは、前記支持本体の一辺近傍において、回転可能なように支持される。
【００２１】
ある好ましい実施形態において、前記カバーは、着脱可能なように前記支持本体に支持される。
【００２２】
ある好ましい実施形態において、前記カバーは、前記開口部近傍において、前記支持本体に向かって伸びる側面を有する。
【００２３】
ある好ましい実施形態において、前記カバーは、前記支持本体と対向する面に凸状の位置規制部を有し、前記位置規制部は、前記支持本体に保持された第１のディスクカートリッジが垂直方向に移動するのを規制する。
【００２４】
ある好ましい実施形態において、前記カバーは少なくとも一部の領域において、前記支持本体の第１の保持面に保持された第１のディスクカートリッジが見える程度に透明である。
【００２５】
ある好ましい実施形態において、前記カバーは前記保持された第１のディスクカートリッジの回転部材が設けられた側面とおよそ平行に形成された第１の溝を有し、前記シャッタ駆動部材は、前記第１の溝と係合する第１の凸部を有している。
【００２６】
ある好ましい実施形態において、前記カバーおよび前記シャッタ駆動部材は、前記シャッタ駆動部材の第１の凸部が前記カバーの第１の溝から脱離しないように係合している。
【００２７】
ある好ましい実施形態において、前記カバーは、前記支持本体と対向する第１の面と、前記第１の面の反対側に位置する第２の面とを有し、前記第１および第２の面は、前記第１のディスクカートリッジの回転部材が設けられた側面と平行に形成された第１および第２の溝をそれぞれ有し、前記シャッタ駆動部材は、互いに対向するように突出し、前記第１および第２の溝と係合する第１および第２の凸部を有している。
【００２８】
ある好ましい実施形態において、前記シャッタ駆動部材は、第３の凸部を有しており、前記支持本体は、前記保持された第１のディスクカートリッジの回転部材が設けられた側面と平行に形成され、前記シャッタ駆動部材の第３の凸部と係合する第３の溝と、前記カバーが第１のディスクカートリッジを覆うように前記支持本体に取り付けられたとき、前記シャッタ駆動部材の第３の凸部が前記第３の溝に挿入されるよう、前記第３の溝と連通した切り欠きを有する。
【００２９】
ある好ましい実施形態において、前記第３の溝と連通した切り欠きに前記シャッタ駆動部材の第３の凸部が挿入し得る位置において前記カバーに対して前記シャッタ駆動部材を固定するための固定構造を少なくとも前記シャッタ駆動部または前記カバーが備える。
【００３０】
ある好ましい実施形態において、前記シャッタ駆動部の係合部は、前記第１のディスクカートリッジの回転部材に設けられたギア部およびギア部を挟む第１および第２の切り欠きに係合するラックならびに第１および第２の係合部を有し、前記第１および第２の係合部は、前記ラックを挟むようにラックに対して弾性的に支持されている。
【００３１】
ある好ましい実施形態において、前記第１の係合部は凸部を有し、前記第１のディスクカートリッジのシャッタを開放させる場合に前記第２の係合部より先に前記回転部材と接触し、前記支持本体は前記第１の係合部の凸部と係合するガイド溝を有し、前記ガイド溝は、前記第１のディスクカートリッジのシャッタが開放するように前記シャッタ駆動部材を移動させた場合、前記第１の係合部が前記第１のディスクカートリッジの回転部材の第１の切り欠き以外の部分と接触して、前記回転部材を駆動させないよう、前記第１の係合部の凸部を駆動し、第１の係合部を退避させる。
【００３２】
ある好ましい実施形態において、前記支持本体の突起部は、前記第２のディスクカートリッジにおいて、前記ディスクのセンターホール内に突出するように設けられた突起と干渉しないように、２つの切り欠き部を有する。
【００３３】
ある好ましい実施形態において、前記支持本体は、前記回転つまみを収納する収納部と前記第１のディスクをクリーニングするためのクリーニング液のボトルを収納する収納部とを有する。
【発明の効果】
【００３４】
本発明によれば、ディスク片面を露出し回転部材が回転することによりシャッタが開閉する構造のディスクカートリッジに収納されたディスクのクリーニングを行うことのできるディスククリーニング装置が提供される。
【００３５】
また、本発明のディスククリーニング装置によれば形状の異なるディスクカートリッジにディスクを収納した状態とディスク単体のディスクをクリーニングすることができる。
【発明を実施するための最良の形態】
【００３６】
まず、本発明のディスククリーニング装置に適合するディスクカートリッジを説明する。図１９および図２０は、本発明のディスククリーニング装置に装填可能な第１のディスクカートリッジ３００の一例を示している。図１９および図２０に示すように、ディスクカートリッジ３００は上体３１１および下体３１２からなるカートリッジ本体３１０と、カートリッジ本体３１０に収納されたディスク１０と、下体３１２に設けられた開口３１２ｗと、開口３１２ｗを外部に対して開閉するシャッタ部３２０と、回転部材３３０とを備えている。
【００３７】
図に示すように、上体３１１にはディスク１０の一面のほぼ全体を露出する開口が設けられている。このため、ディスク１０がカートリッジ本体３１０に収納されている状態において、ディスク１０の一面、たとえばラベル面が上体３１１の開口から露出する。下体３１２の内面にはシャッタ部の回転軸となる回転支軸３１２ａ、３１２ｂが設けられている。また、下体３１２の外面には位置決め穴３１５ａ、３１５ｂが設けられている。カートリッジ本体３１０の側面には開口３１２ｇが設けられている。
【００３８】
シャッタ部３２０は、第１のシャッタ３２１および第２のシャッタ３２２を含む。第１のシャッタ３２１および第２のシャッタ３２２には案内溝３２１ｂ、３２２ｂおよび回転支軸３１２ａ、３１２ｂが挿入される回動孔３２１ａ、３２２ａがそれぞれ設けられている。
【００３９】
回転部材３３０は、平坦なリング状部およびリング状部の外側に形成された円筒状の側面を有している。リング状部のシャッタ部３２０と対向する面には案内溝３２１ｂ、３２２ｂに挿入されるリンク支軸３３０ａ、３３０ｂが設けられている。リング状部にはさらに切り欠き部３３０ｗが設けられている。また、側面には第１の切り欠き部３３１、第２の切り欠き部３３２およびこれらに挟まれたギア部３３３が形成されている。これらはシャッタ操作部となる。
【００４０】
ディスクカートリッジ３００はロック部材３２５をさらに備え、支軸３１２ｃの周りに回転可能なように支持される。ロック部材３２５は凸部３２５ａを有し、シャッタ部３２０が閉塞している状態において、凸部３２５ａは第２の切り欠き部３３２と係合し、回転部材３３０が回転するのを防止する。
【００４１】
回転部材３３０は案内溝３２１ｂ、３２２ｂおよびリンク支軸３３０ａ、３３０ｂによってシャッタ部３２０と係合しており、回転部材３３０を回転させることにより、シャッタ部３２０が開口３１２ｗを閉塞した状態および開放した状態にすることができる。回転部材３３０を回転させるには、カートリッジ本体３１０の側面に設けられた開口３１２ｇから露出した第１の切り欠き部３３１、第２の切り欠き部３３２およびギア部３３３をディスク装置などに設けられたシャッタ開閉機構と係合させる。
【００４２】
このように、第１のディスクカートリッジは、片面を露出してディスクを収納し、側面に位置する操作部をディスクと平行な方向にスライドさせることによって、回転部材に係合したシャッタを開放させ、ディスクの信号記録面の一部を露出させる。第１のディスクカートリッジは、好ましくは、Blu-ray Discカートリッジである。なお、第１のディスクカートリッジは、必ずしも図１９および図２０に示す構造とまったく同じ構造を備えている必要はなく、片面を露出してディスクを収納し、側面に位置する操作部をディスクと平行な方向にスライドさせることによって、回転部材に係合したシャッタを開放させ、ディスクの信号記録面の一部を露出させる構造を備えておればよい。また、操作部は、他の構造を備えていてもよいが、第１の切り欠き部３３１、第２の切り欠き部３３２およびギア部３３３から構成されることが好ましい。
【００４３】
本発明のディスククリーニング装置に装填可能な第２のディスクカートリッジは、特開平１１-２７３３１３号公報に示されているカートリッジと同じ構造を備えている。より具体的には、矩形型および密閉型でスライド式シャッタを備えている。シャッタをスライドさせることにより、光ディスクの信号記録面およびディスクをチャッキングする非記録領域を露出する開口が現れる。好ましくは、第２のディスクカートリッジはＤＶＤ−ＲＡＭである。
【００４４】
（第１の実施形態）
以下、図面を参照しながら、本発明によるディスククリーニング装置の第１の実施形態を説明する。
【００４５】
図１に示すように、ディスククリーニング装置１は、支持本体１１、回転つまみ２１、シャッタ駆動部材３１、蓋材４１を備えている。これらの部材は合成樹脂等によって好適に形成される。また、これらの部材は、同じ材料を用いて形成される必要はなく、各部材に要求される強度や外観等を考慮して、各部材に最適な材料が決定される。
【００４６】
支持本体１１には、第１のディスクカートリッジ３００を保持するための第１の保持面１２ａと、第１の保持面１２ａから垂直上方向に延びた２つの第１の側壁１２ｂと、第１の保持面１２ａから垂直上方向に延びた第１の後端壁１２ｃが形成されている。
【００４７】
また支持本体１１には、第２のディスクカートリッジ５１（図５）を保持するための第２の保持面１１ａと、第２の保持面１１ａから垂直上方向に延びた２つの第２の側壁１１ｂと、第２の保持面１１ａから垂直上方向に延びた第２の後端壁１１ｃが形成されている。
【００４８】
第２の保持面１１ａの略中央には、ディスク１００のセンターホール周辺の非記録領域と接触してディスク１００を支持するディスク支持面１３と、ディスク１００のセンターホールと嵌合するディスク支持面１３と同心であり、２つのＤカット状の切り欠き１４ａを持つ突起部１４が形成されている。
【００４９】
また第１の保持面１２ａは、第２の保持面１１ａとディスク支持面１３との間の高さに位置している。これについては詳しく後述する。
【００５０】
シャッタ駆動部材３１は、係合部３１ｘおよびつまみ部３１ｂを含む。係合部３１ｘは第１のディスクカートリッジ３００の回転部材に設けられた操作部と係合する構造を備えている。具体的には、係合部３１ｘはギア部３３３ならびに第１および第２の切り欠き３３１、３３２と係合するラック部３１ａならびに第１および第２の係合部３１ｆ、３１ｇを有する。第１および第２の係合部３１ｆ、３１ｇは、ラック部３１ａを挟むようにラック部３１ａに対して弾性的に支持されている。シャッタ駆動部材３１は、支持本体１１に設けられた溝部１１ｄにスライド自在に係合する凸部を有する。溝部１１ｄは、第１のディスクカートリッジ３００の回転部材３３０が設けられた側面に近接し、かつ、平行に形成されている。
【００５１】
係合部３１ｘは、ロック部３１ｃを有し、シャッタ駆動部材３１を使用しない時は支持本体１１の溝部１１ｄに連通している第１のロック係合部１１ｅに係合しており、シャッタ駆動部材３１を使用して、シャッタ３２０を開放状態に保持する時はシャッタ駆動部材３１のロック部３１ｃは支持本体１１の溝１１ｄに連通している第２のロック係合部１１ｆに係合している。
【００５２】
シャッタ駆動部材３１が外れないように蓋材４１でラック部３１ａを覆う。蓋材４１は２つの係止爪４１ａを有し、シャッタ駆動部材３１が外れないよう、支持本体１１に設けられた２つの係止壁１１ｇに係り止めされる。蓋材４１は、係合部３１ｘの少なくとも一部を支持本体１１とで挟んでおればよい。
【００５３】
弾性部材１６は、シャッタ駆動部材３１側の第１の側壁１２ｂとは反対側の第１の側壁１２ｂに設けられている。この弾性部材１６は、第１のディスクカートリッジ３００をシャッタ駆動部材３１側に付勢する役割をする。
【００５４】
シャッタストッパ１５は、第２の保持面１１ａから突出するように垂直上方向に形成され、第２の保持面１１ａに第２のディスクカートリッジ５１を保持した時、シャッタストッパ１５によりシャッタ５２を開放状態で係止する。
【００５５】
図６および図７に示すように、回転つまみ２１は突起部１４と嵌合する凹部２１ａと滑り止め部２１ｂとを含む。凹部２１ａは回転可能なように突起部１４と嵌合する。滑り止め部２１ｂはディスク１００のセンターホール周辺の非記録領域と当接し、回転つまみ２１の回転によりディスク１００をスリップさせることなく回転させる。
【００５６】
支持本体１１の前端部に回転つまみ収納部１７とクリーニング液ボトル収納部１８が設けられている。
【００５７】
次に、第１のディスクカートリッジ３００および第２のディスクカートリッジ５１に収納されているディスク１００の信号記録面をクリーニングする方法について、図２から図７を用いて説明する。
【００５８】
図２は、第１のディスクカートリッジ３００をディスククリーニング装置１に保持した状態を示す。
【００５９】
支持本体１１の前端部においてシャッタ駆動部材３１のロック部３１ｃが第１のロック係合部１１ｅに係合している状態で、シャッタ３２０が閉塞した第１のディスクカートリッジ３００をディスククリーニング装置１の第１の保持面１２ａにシャッタ面を上にして保持する。即ち、ディスクの信号記録面が上方になり、開口から露出したレベル面が支持本体１１と対向するように保持する。第１のディスクカートリッジ３００は対向する一対の第１の側壁１２ｂと第１の後端壁１２ｃにより位置規制される。また同時に、図４に示すように、弾性部材１６が、第１のカートリッジ３００の側壁にある凹部３１２ｔに係合する。このため、第１のカートリッジ３００はシャッタ駆動部材３１側に付勢され、上方向に抜けないように押圧固定される。
【００６０】
このとき、第１のディスクカートリッジ３００に収納されているディスク１００のセンターホール周辺の非記録領域はディスク支持面１３と接触し支持される。第１のディスクカートリッジ３００が閉塞状態にある時、シャッタ３２０にはディスク１００のセンターホールと重なる領域に孔が形成されている。この孔には、ディスク１００の記録領域の傷付きを防止する三つの突起３２０ｃが形成されている。突起部１４はディスク１００のセンターホールに嵌合するが、シャッタ３２０の突起３２０ｃとの干渉を避けるために２つのＤカット状切り欠き１４ａが施されている。なお、突起部１４の中心Ｃとシャッタ駆動部材３１が設けられている側の第１の側壁１２ｂとの距離Ｌ１は、突起部１４の中心Ｃと他方の第１の側壁１２ｂとの距離Ｌ２よりも長くなっている。これは、ディスクカートリッジ３００において、ディスク１００がディスクカートリッジの中心から少しオフセットされた位置において保持されているからである。
【００６１】
ディスクカートリッジ３００を上述したように装填した後、シャッタ駆動部材３１のつまみ部３１ｂを矢印Ａ方向に移動させると係合部３１ｘのラック部３１ａがロック部材３２５（図２０）を押した状態で、第１の係合部３１ｆが第１の切り欠き３３１と係合する。これにより、回転部材３３０のロック部材３２５によるロックから解除され、回転可能になる。このため、シャッタ駆動部材３１をさらに矢印Ａの方向に移動させることにより、第１の係合部３１ｆが回転部材３３０を回転させる。シャッタ開閉操作部３１がさらに移動すると、ラック部３１ａが回転部材３３０のギア部３３３と噛み合い、さらに第２の係合部３１ｇが第２の切り欠き部３３２と係合する。これにより、回転部材３３０の回転が進み、シャッタ３２０が図３に示すように開放し、ディスク１００の信号記録面が外部に露出する。さらにラック部３１ａを後端部へ移動し、ロック部３１ｃが第２のロック系合部１１ｆに係合した場所で開放終了となる。この状態、つまり、シャッタ３２０が開放されて支持本体１１に第１のカートリッジ３００が保持されている状態では、第１のカートリッジ３００の回転部材３３０とシャッタ駆動部材３１とが係合している。このため、第１のカートリッジ３００を取り出すことはできない。
【００６２】
この状態で、回転つまみ２１を突起部１４に嵌合させて回転することにより、回転つまみ２１とディスク１００との摩擦によってディスク１００を回転させることができる。ディスク１００の信号記録面をクリーニングするには、クリーニング液ボトル７１に入ったクリーニング液をクリーニングクロスに付け、クリーニングクロスをディスク１００に当てながら、ディスク半径方向に移動させて、ディスク１００の信号記録面に付着した塵埃等を拭取ればよい。外部に露出した信号記録面がクリーニングできれば、回転つまみ２１をさらに回転しディスク１００を回転させ、前述のクリーニング操作を繰り返すことにより、ディスク１００の信号記録面全周をクリーニングすることができる。クリーニングが終了すれば、図３に示すシャッタ駆動部材３１のつまみ部３１ｂを矢印Ｂ方向に移動させることにより、上述の逆の動作によって回転部材３３０が回転し、シャッタ３２０は図２に示すように閉塞する。この状態で、第１のディスクカートリッジ３００を支持本体１１から取り外すことができる。
【００６３】
図５は、第２のディスクカートリッジ５１をディスククリーニング装置１に保持した状態を示す。第２のディスクカートリッジ５１は矩形形状で、前端部にコの字型のシャッタ５２が左右方向にスライド自在に装着されている。
【００６４】
第２のディスクカートリッジ５１をディスククリーニング装置に装填するには、まず、第２の保持面１１ａにシャッタ５２を開放し、裏向きの状態で保持する。即ち、ディスク１００の信号記録面を上方に露出した向きに保持する。このとき、第２のディスクカートリッジ５１は支持本体１１の対向する一対の第２の側壁１１ｂで左右方向が規制され、第２の後端壁１１ｃで後端部が規制され、シャッタストッパ１５で前端部が規制される。これにより、シャッタ５２が開放し、ディスク１００の信号記録面が外部に露出した状態で支持本体１１に保持される。
【００６５】
また、このとき第２のディスクカートリッジ５１に収納されているディスク１００のセンターホール周辺の非記録領域はディスク支持面１３と接触し支持される。突起部１４はディスク１００のセンターホールと嵌合する。なお、突起部１４の中心Ｃから２つの第２の側壁１１ｂまでの距離は等しくなっている。
【００６６】
この状態で、回転つまみ２１を突起部１４に嵌合させて回転することにより、ディスク１００を回転させることができる。ディスク１００の信号記録面のクリーニング方法は、前述した第１のディスクカートリッジ３００に入ったディスク１００のクリーニング方法と同じであるので詳述するのは省略する。クリーニングが終了すれば、第２のディスクカートリッジ５１を支持本体１１から取り外すことで、シャッタ５２は内蔵されているバネ（図示なし）により自動でスライドし閉塞する。
【００６７】
次に、第１の保持面１２ａと第２の保持面１１ａとディスク支持面１３との高さ関係について説明する。図６および図７はそれぞれ、第１および第２のディスクカートリッジ３００、５１が第１および第２の保持面１２ａ、１１ａに保持された断面図である。
【００６８】
ディスク支持面１３でディスク１００を受け止め支持し、突起部１４にディスク１００のセンターホールが嵌合している。
【００６９】
第１および第２のディスクカートリッジ３００、５１の厚みは略同じであるが、片面を露出させた第１のディスクカートリッジ３００と、密閉型の第２のカートリッジ５１とは、内部構造が違う。即ち、ディスクカートリッジの上下面に対してディスク１００の収納位置が異なる。
【００７０】
このため、仮に同じ保持面に各々のディスクカートリッジを保持し、一つのディスク支持面１３でディスク１００を支持すると、ディスク１００の信号記録面がディスクカートリッジの内壁に接触する。この状態で、回転つまみ２１によりディスク１００を回転させると、信号記録面に傷が付く。
【００７１】
このような傷付きを防止するために、第１および第２の保持面１２ａ、１１ａの高さを変えている。具体的には、第２の保持面１１ａとディスク支持面１３との間に第１の保持面１２ａが位置するように、つまり第１の保持面１２ａは第２の保持面１１ａよりも高い位置に形成されている。
【００７２】
これによって、第１および第２のディスクカートリッジ３００、５１を各々保持し、ディスク１００がディスク支持面１３に支持された各々の状態において、ディスク１００は第１および第２のディスクカートリッジ３００、５１の内壁空間の略中央に位置することができる。
【００７３】
以上はディスクカートリッジに入ったディスク１００のクリーニングについて説明したが、ディスクカートリッジに収納されていないディスク１００をクリーニングすることもできる。
【００７４】
この場合、ディスク１００のセンターホールを突起部１４に嵌合させ、ディスク１００のセンターホールの周囲の非記録領域の下面をディスク支持面１３によって受け止め支持させる。この状態で、回転つまみ２１を突起部１４に嵌合させて回転することにより、ディスク１００を回転させることができる。ディスク１００の信号記録面のクリーニング方法は、前述した第１のディスクカートリッジ３００に入ったディスク１００のクリーニング方法と同じであるので詳述するのは省略する。
【００７５】
以上のように、本実施形態のディスククリーニング装置によれば、ディスク片面を露出し、回転部材が回転することによりシャッタが開閉する第１のディスクカートリッジ３００に入ったディスク、矩形型および密閉型でスライド式シャッタを備えた第２のディスクカートリッジ５１に入ったディスク、およびディスクカートリッジには入っていない単体ディスクをクリーニングすることができる。
【００７６】
さらに図８および図１に示すように、支持本体１１に回転つまみ２１、クリーニング液ボトル７１を収納する収納凹部１７および１８を備えているので、収納性に優れる。
【００７７】
上記実施の形態で説明した蓋材４１は、支持本体１１と別体に構成したが、樹脂成形によるヒンジ形状で一体構成することもできる。
【００７８】
さらにはシャッタ駆動部材３１が、支持本体１１から外れないように噛み合わせ形状にすれば、蓋材を省略することも可能であり、部品点数削減による低コスト化が図れる。
【００７９】
上記実施の形態で説明した第２のディスクカートリッジ５１は、シャッタ５２を開放状態で保持したが、支持本体１１の前端部に第２のディスクカートリッジ５１のシャッタ５２を開放するスライド機構を取り付けてもよい。これによりシャッタ５２が閉塞状態でも保持することができ、保持が簡単になる。
【００８０】
上記実施の形態で説明した回転つまみ２１は回転自在であるので、ディスク１００の回転度合いが把握しにくく、クリーニングした領域が把握しづらい。従って、シャッタの開口幅よりも小さい距離だけ、その都度回転できるように、回転つまみ２１に目盛りもしくは目印を取り付けてもよい。さらには、回転つまみ２１と突起部１４が上記回転角度づつ軽く係合できるような構造にしても良い。
【００８１】
（第２の実施形態）
以下、図面を参照しながら、本発明によるディスククリーニング装置の第２の実施形態を説明する。
【００８２】
図９はディスククリーニング装置５０１の分解斜視図である。ディスククリーニング装置５０１は、支持本体１１１と、シャッタ駆動部材１３１とを備える。ディスククリーニング装置５０１は、さらに回転つまみを備える。しかし、回転つまみは第１の実施形態の回転つまみ２１と同じ構造を備えているので図９では示していない。また、本実施形態において、第１の実施形態と同じ構成要素に同じ参照符号を付している。
【００８３】
図１０（ａ）は、シャッタ駆動部材１３１が取り付けられた支持本体１１１の平面図である。また、図１０（ｂ）は、支持本体１１１に取り付けられたシャッタ駆動部材１３１のスライド方向と直交する断面図である。図９、図１０（ａ）および（ｂ）を参照しながら、ディスククリーニング装置５０１の構造をさらに詳細に説明する。
【００８４】
支持本体１１１は、第１の実施形態と同様、第１の保持面１２ａと、第２の保持面１１ａと、ディスク支持面１３と、突起部１４と、シャッタストッパ１５とを含む。これらは、第１の実施形態における対応する構成要素と同様に機能する。また、第２のカートリッジ５１のための前端壁１５ａが第２の保持面１１ａに設けられている。
【００８５】
第２の保持面１１ａには、第１のディスクカートリッジ３００の先端部分と当接し、第１のカートリッジ３００を保持する凸部１２ｄが設けられている。支持本体１１１において、第１のディスクカートリッジ３００を配置すべき位置が分かりやすくなるように、凸部１２ｄの外側に第１のディスクカートリッジ３００の外形に沿った溝を設けてもよい。
【００８６】
支持本体１１１の表面である第１の保持面１２ａおよび第２の保持面１１ａが設けられている面には、溝１１ｄおよびガイド溝１１ｈが設けられている（図１０において斜線でそれぞれ示している）。また、支持本体１１１の裏面には、溝１１ｄ'が設けられている。溝１１ｄ、１１ｄ'は、支持本体１１１に第１のディスクカートリッジ３００を保持させたとき、第１のディスクカートリッジ３００の回転部材３３０が設けられた側面とおおよそ平行になっている。溝１１ｄの一端には係り止め部１１ｍが設けられている。
【００８７】
シャッタ駆動部材１３１は、係合部３１ｘと、つまみ部３１ｂとを含む。係合部３１ｘは、第１の実施形態と同様、第１および第２の係合部３１ｆ、３１ｇとラック部３１ａとを有している。また、第１の係合部３１ｆには、凸部３１ｈが設けられている。シャッタ駆動部材１３１には、また、互いに対向するように突出し、支持本体１１１の溝１１ｄ、１１ｄ'と係合する凸部３１ｉ、３１ｉ'が設けられている。
【００８８】
図１０（ａ）および（ｂ）に示すように、シャッタ駆動部材１３１の凸部３１ｉ、３１ｉ'が、係り止め１１ｍの設けられた一端から溝１１ｄ、１１ｄ'にそれぞれ挿入され、シャッタ駆動部材１３１が、溝１１ｄ、１１ｄ'に沿ってスライドするように支持本体１１１に取り付けられている。支持本体１１１の両面から挟むようにシャッタ駆動部材１３１の凸部３１ｉ、３１ｉ'が係合しているので、シャッタ駆動部材１３１は、支持本体１１１から脱離することなく、スライド移動することができる。また、係り止め１１ｍにより、溝１１ｄ、１１ｄ'の挿入した一端から凸部３１ｉ、３１ｉ'が抜けないようになっている。
【００８９】
本実施形態では、支持本体１１１の表裏に溝を設け溝に係合する一対の凸部で支持本体１１１を挟みこむことにより、シャッタ駆動部材１３１の脱離を防止している。しかし、シャッタ駆動部材１３１が、第１のディスクカートリッジの回転部材３３０が設けられた側面と平行にスライド可能であり、支持本体１１１から容易に脱離しなければ、他の構造によって、シャッタ駆動部材１３１と支持本体１１１とを係合させてもよい。
【００９０】
第１のディスクカートリッジの回転部材３３０が設けられた側面と平行な溝が支持本体１１１に設けられており、その溝に係合する凸部がシャッタ駆動部材１３１に設けられておれば、安定したスライド動作をシャッタ駆動部材１３１は行うことができる。この溝は、必ずしも、支持本体１１１の表面あるいは裏面に設けられている必要はなく、支持本体１１１の側面に設けられていてもよい。
【００９１】
シャッタ駆動部材１３１が、支持本体１１１に取り付けられた状態において、支持本体１１１のガイド溝１１ｇには、第１の係合部３１ｆの凸部が挿入されている。ガイド溝１１ｇは溝１１ｄに沿って設けられているが、直線状ではなく、所定のプロファイルを有している。シャッタ駆動部材１３１がスライド移動すると、このプロファイルに従って第１の係合部３１ｆの凸部が駆動され、第１の係合部３１ｆが支持本体１１１に保持された第１のディスクカートリッジ３００に接近あるいは離間する。より具体的には、第１のディスクカートリッジ３００のシャッタが開放するようにシャッタ駆動部材１３１をスライド移動させた場合、第１の係合部３１ｆが第１のディスクカートリッジ３００の回転部材３３０の第１の切り欠き３３１以外の部分と接触して、回転部材３３０を駆動させないよう、第１の係合部３１ｆを回転部材３３０から離間させる。この動作を図１０および図１１から図１３を参照して詳細に説明する。
【００９２】
図１１から図１３は、下体３１２を取り去った状態で、第１のディスクカートリッジ３００を支持本体１１１に保持させて、シャッタ駆動部材１３１をスライドさせた場合のディスククリーニング装置および第１のディスクカートリッジ３００の構造を示している。分かり易すく図示するため、ロック部材３２５は省略されている。図１０（ａ）および図１１に示すように、第１のディスクカートリッジ３００のシャッタ３２０が閉塞している状態においてスライド部材１３１を矢印Ａの方向へ移動させる。図１０（ａ）に示すように、ガイド溝１１ｈが直線状に延びているため、第１の係合部３１ｆは退避することなく移動する。第１の係合部３１ｆが第１のディスクカートリッジ３００の回転部材３３０に接近すると、第１の係合部３１ｆの凸部３１ｈは、ガイド溝１１ｈが第１のディスクカートリッジ３００から離間するように屈曲した部分１１ｇに達する。このため、図１１に示すように、ガイド溝１１ｈのプロファイルに従って、凸部３１ｈが移動し、第１の係合部３１ｆが回転部材３３０と接触しないよう退避する。
【００９３】
図１２に示すように、シャッタ駆動部材１３１がさらに移動すると、ガイド溝１１ｈのプロファイルに従い、凸部３１ｈは回転部材３３０に接近するよう駆動される。このため、第１の係合部３１ｆが回転部材３３０の第１の切り欠き３３１と係合する。そして、シャッタ駆動部材１３１の移動にともなって回転部材３３０が矢印Ｄで示す方向に回転する。また、回転部材３３０に係合したシャッタ３２０が開放動作を開始する。
【００９４】
図１３に示すように、シャッタ駆動部材１３１の移動にともなう回転部材３３０の回転が進むと、ギア部３３３がラック３１ａと係合する。図１０（ａ）に示すように、このとき、凸部３１ｈはガイド溝１１ｈの太くなった部分に達している。このため、回転部材３３０の回転にともなって、回転部材３３０からわずかに離間することができ、第１の係合部３１ｆが第１の切り欠き３３１から脱離し、第１の切り欠き３３１とギア部３３３との間の側面に乗り上げる。その後、回転部材３３０は、ラック３１ａとギア部３３３との係合により回転し、さらに第２の係合部３１ｇと第２の切り欠き３３２との係合により、シャッタ３２０が完全に開放するまで回転する。これにより、第１のディスクカートリッジ３００に収納された光ディスク１が露出開口３１２ｗから露出するようになる。
【００９５】
なお、図３に示すように、シャッタ３２０が完全に開放した状態において、第２の係合部３１ｇは回転部材３３０の第２の切り欠き３３２にと係合している。このため、第２の係合部３１ｇはガイド溝によって駆動しなくても回転部材３３０の第２の切り欠き３３２と適切なタイミングで係合する。また、シャッタを閉じる動作は、各部が前述と逆に動作することにより達成される。第２のディスクカートリッジ５１は第１の実施形態で説明したように保持することができる。
【００９６】
このように本実施形態によれば、シャッタ駆動部材１３１のスライド動作によって、第１のディスクカートリッジ３００の回転部材３３０と係合し、シャッタを開放させることができる。
【００９７】
（第３の実施形態）
以下、図面を参照しながら、本発明によるディスククリーニング装置の第３の実施形態を説明する。
【００９８】
図１４はディスククリーニング装置６０１の分解斜視図である。ディスククリーニング装置６０１は、支持本体２１１と、シャッタ駆動部材２３１と、カバー２２０とを備える。第２の実施形態と同様、ディスククリーニング装置６０１は、さらに回転つまみを備えるが、回転つまみは第１の実施形態の回転つまみ２１と同じ構造を備えているので、図１４では示していない。また、本実施形態においても、第１あるいは第２の実施形態と同じ構成要素に同じ参照符号を付している。
【００９９】
本実施形態のディスククリーニング装置６０１は、支持本体２１１に保持された第１のカートリッジ３００を覆うためのカバー２２０を備え、カバー２２０にシャッタ駆動部材２３１が取り付けられている点で、第２の実施形態のディスククリーニング装置５０１と異なっている。
【０１００】
図１５ならびに図１６（ａ）および（ｂ）はカバー２２０を開けた状態で示したディスククリーニング装置６０１の斜視図、上面図および側面図である。
【０１０１】
図１７（ａ）および（ｂ）はカバー２２０を開けた状態で示したディスククリーニング装置６０１の上面図およびシャッタ駆動部材２３１のスライド方向と垂直な断面図である。図１８（ａ）はカバー２２０を支持本体２１１側から見た平面図である。図１８（ｂ）は、その一部を拡大した図である。これらの図を参照してディスククリーニング装置６０１の構造を説明する。
【０１０２】
支持本体２１１は、第２の実施形態と同様、第１の保持面１２ａと、第２の保持面１１ａと、ディスク支持面１３と、突起部１４と、シャッタストッパ１５と、前端壁１５ａと、凸部１２ｄとを含む。これらは、第２の実施形態における対応する構成要素と同様に機能する。また、支持本体２１１には、第２の実施形態と同様、溝１１ｄ、１１ｄ'およびガイド溝１１ｈが設けられている。
【０１０３】
カバー２２０は、ディスククリーニング操作中、操作を行う者が、第１のカートリッジ３００を手指で押えながらシャッタの開閉操作を行うことにより、カートリッジ本体３１０やシャッタ３２０とディスク１０とが接触し、ディスク１０に傷などが生じるのを防止するため、支持本体２１１に保持された第１のカートリッジ３００を覆う。このため、カバー２２０は、支持本体２１１と分離していてもよい。しかし、操作性を考慮すると、カバー２２０は、支持本体２１１の一辺近傍において回転可能なように支持されていることが好ましい。このために、カバー２２０は一対の係合凸部２２０ａを有する。支持本体２１１は、その一辺近傍において係合凸部２２０ａが挿入され、カバー２２０を回転可能に支持するための一対の受け部２１１ａを有している。
【０１０４】
カバー２２０は、第２のディスクカートリッジ５１のディスクをクリーニングする場合には不要である。このため、第２のディスクカートリッジ５１をクリーニングする場合にはカバー２２０を取り外せるよう、係合凸部２２０ａと受け部２１１ａとは着脱可能なように係合することが好ましい。
【０１０５】
カバー２２０は、支持本体２１１に保持された第１のカートリッジ３００を覆うため、第１のカートリッジ３００が支持本体２１１に正しく保持されていることがカバー２２０により覆った状態でも分かるよう、好ましくは、カバー２２０の少なくとも一部の領域において第１のカートリッジ３００が見える程度に透明であることが好ましい。より好ましくは、カバー２２０全体が透明な樹脂で形成されている。
【０１０６】
カバー２２０は、第１のカートリッジ３００のシャッタが開放したときに露出する開口部３１２ｗに対応する開口部２２０ｃを有する。開口部２２０ｃの近傍は、支持本体２１１側に向かって延びる側壁２２０ｇを形成していることが好ましい。これにより、開口部２２０ｃにおいて、カバー２２０と第１のカートリッジ３００との間隙を小さくし、間隙に手指などが入らないようにすることができる。カバー２２０の係合凸部２２０ａが設けられた辺と対向する辺には前壁２２０ｆが形成されている。また、シャッタ駆動部材２３１が取り付けられる辺と対向する辺には側壁２２０ｅが形成されている。側壁２２０ｇ、２２０ｅおよび前壁２２０ｆは曲面によって連続していてもよい。
【０１０７】
側壁２２０ｅと前壁２２０ｆとの間には、切り欠き２２０ｂが設けられており、カバー２２０が支持本体２１１の側壁２１１ｄと干渉するのを防止する。前壁２２０ｆは、カバー２２０を閉じた状態で支持本体２１１の第２の支持面１１ａと当接する。
【０１０８】
また、図１８（ａ）に示すように、カバー２２０の支持本体２１１と対向する面には複数の凸状位置規制部２２０ｈが設けられている。位置規制部２２０ｈは、カバー２２０を閉じた状態で第１のディスクカートリッジ３００が支持本体２１１から浮き上がらないよう垂直方向に位置を規制する。ただし、位置規制部２２０ｈは、第１のディスクカートリッジ３００と接触しないことが好ましい。接触するとカバー２２０を手指などで押えることにより、第１のディスクカートリッジ３００へ外力がおよぶからである。
【０１０９】
支持本体２１１には、ピン２１１ｋが設けられており、カバー２２０を閉じた状態でカバー２２０に設けられた穴２２０ｋに挿入される。これにより、カバー２２０と支持本体２１１との水平方向における位置合わせを行う。また、クリーニング動作中に外力が加わって、カバー２２０が支持本体２１１に対して位置ずれするのを防止する。
【０１１０】
カバー２２０の一部にはクリーニングの手順などを示したラベルを貼付する領域２２０ｂを設けてもよい。特に、シャッタ駆動部材２３１に近接してラベルを貼付する領域２２０ｂを設ける場合、クリーニングの手順と合わせて、シャッタ駆動部材２３１の位置をラベルに示すことができる。たとえば、第１のディスクカートリッジ３００を支持本体２１１に保持したり、クリーニング後、第１のディスクカートリッジ３００から取り出す場合のシャッタ駆動部材２３１の適切な位置をラベル上に示すことができる。したがって、ディスククリーニング装置６０１の操作性を向上させることができる。
【０１１１】
次に、シャッタ駆動部材２３１を説明する。シャッタ駆動部材２３１は、つまみ部３１ｂ'と係合部３１Ｘとを含む。係合部３１Ｘの構造は第２の実施形態と同じである。シャッタ駆動部材２３１は、互いに対向するように突出した凸部２３１ｄ、２３１ｄ'を有する。図１７（ａ）および図１８（ａ）に示すように、カバー２２０の支持本体２１１と対向する面およびその反対側に位置する面に溝２２０ｄ'、２２０ｄが設けられている。溝２２０ｄ'、２２０ｄは、カバー２２０が閉じられた状態において、第１のディスクカートリッジ３００の回転部材３３０が設けられた側面と平行に伸びている。溝２２０ｄの一端には、係り止め２３１ｍが設けられている。
【０１１２】
シャッタ駆動部材２３１の凸部２３１ｄ'、２３１ｄが係り止め２３１ｍが設けられた一端から溝２２０ｄ'、２２０ｄにそれぞれ挿入され、シャッタ駆動部材２３１が、溝２２０ｄ'、２２０ｄに沿ってスライドするようにカバー２２０に取り付けられている。カバー２２０の両面から挟むようにシャッタ駆動部材２３１の凸部２３１ｄ'、２３１ｄが係合しているので、シャッタ駆動部材１３１は、カバー２２０から脱離することなく、スライド移動することができる。また、係り止め２３１ｍにより、溝２２０ｄから凸部２３１ｄが抜けないようになっている。
【０１１３】
第２の実施形態で説明したように、シャッタ駆動部材２３１が、第１のディスクカートリッジの回転部材３３０が設けられた側面と平行にスライド可能であり、カバー２２０から容易に脱離しなければ、他の構造によって、シャッタ駆動部材２３１とカバー２２０とを係合させてもよい。
【０１１４】
シャッタ駆動部材２３１は、第１のディスクカートリッジ３００の回転部材３３０を回転させるため、支持本体２１１に第１のディスクカートリッジ３００を配置した後、カバー２２０を閉じ、シャッタ駆動部材２３１を支持本体２１１とも係合させてスライドさせる必要がある。図１７（ｂ）に示すように、支持本体２１１には、第２の実施形態と同様の構造を備えた溝１１ｄ、１１ｄ'が設けられている。また、シャッタ駆動部材２３１も第２の実施形態と同様の構造を備えた凸部３１ｉ、３１ｉ'が設けられている。これらは第２の実施形態で説明したように互いに係合する。しかし、シャッタ駆動部材２３１の凸部３１ｉ'は支持本体２１１の裏面に設けられた溝１１ｄ'と係合する必要がある。
【０１１５】
このために、図１４に示すように、支持本体２１１は、溝１１ｄ'と連通した切り欠き２１１ｊを有しカバー２２０を閉じる際、切り欠き２１１ｊからシャッタ駆動部材２３１の凸部３１ｄ'を挿入する。この動作を確実にするために、溝１１ｄ'と連通した切り欠き２１１ｊに凸部３１ｉ'が挿入し得る位置において、カバー２２０に対してシャッタ駆動部材２３１を固定するための固定構造を少なくともシャッタ駆動部１３１またはカバー２２０に設けることが好ましい。たとえば、図１８（ｂ）に示すようにシャッタ駆動部１３１が係り止め２１１ｍと当接するように溝２２０ｄ、２２０ｄ'の一端に移動した位置において、シャッタ駆動部１３１が逆方向へ移動しないよう、シャッタ駆動部材２３１に設けたフック２３１ｊおよび支持本体２１１に設けた受け部２２０ｊを当接させる。この位置において、シャッタ駆動部材２３１の凸部３１ｉ'が溝１１ｄ'と連通した切り欠き２１１ｊに挿入し得るよう切り欠き２１１ｊを設けることにより、カバー２２０を閉じる際、確実に凸部３１ｉ'を切り欠き２１１ｊから溝１１ｄ'に係合させることができる。
【０１１６】
シャッタ駆動部材２３１のスライド動作による第１のディスクカートリッジ３００のシャッタの開閉動作は第２の実施形態で説明したとおりに行うことができる。
【０１１７】
また、前述したように、第２のディスクカートリッジ５１のクリーニングは、カバー２２０を取り外し、第１の実施形態で説明した通りの手順で行うことができる。
【０１１８】
このように、本実施形態によれば、シャッタ駆動部材２３１は、カバー２２０に取り付けられている。このため、カバー２２０を閉じなければ、第１のディスクカートリッジ３００のシャッタを開閉できず、収納されたディスクのクリーニングを行うことができない。言い換えれば、第１のディスクカートリッジ３００に収納されたディスクをクリーニングする場合、確実にカバー２２０が閉じられることとなり、クリーニングを行う者の不注意等によって第１のディスクカートリッジ３００に外力が加わり、ディスクに傷がつくことを防止することができる。
【０１１９】
なお、第２および第３の実施形態では、第１の実施形態で説明したような、回転つまみ部およびクリーニング液を収納するスペースを設けていないが、第１の実施形態と同様にこれらの収納するスペースを設けてもよい。
【産業上の利用可能性】
【０１２０】
本発明によれば、ディスク片面を露出し回転部材が回転することによりシャッタが開閉する構造のディスクカートリッジに収納されたディスクのクリーニングを行うことのできるディスククリーニング装置が提供される。
【０１２１】
また、本発明のディスククリーニング装置によれば形状の異なるディスクカートリッジにディスクを収納した状態とディスク単体のディスクをクリーニングすることができる。
【図面の簡単な説明】
【０１２２】
【図１】本発明によるディスククリーニング装置の第１の実施形態を示す分解斜視図である。
【図２】図１のディスククリーニング装置に第１のディスクカートリッジを保持した状態を示す平面図である。
【図３】図２における第１のディスクカートリッジのシャッタを開放した状態を示す平面図である。
【図４】図３における弾性部材を示す断面図である。
【図５】図１のディスククリーニング装置に第２のディスクカートリッジを保持した状態を示す平面図である。
【図６】図３におけるディスククリーニング装置を示す断面図である。
【図７】図５におけるディスククリーニング装置を示す断面図である。
【図８】図１のディスククリーニング装置に回転つまみとクリーニング液ボトルを収納した状態を示す斜視図である。
【図９】本発明によるディスククリーニング装置の第２の実施形態を示す分解斜視図である。
【図１０】（ａ）は、図９のディスククリーニング装置の平面図であり、（ｂ）は支持本体に取り付けられたシャッタ駆動部材の断面図である。
【図１１】図９のディスククリーニング装置において、シャッタ駆動部材をスライドさせた状態を示す平面図である。
【図１２】図９のディスククリーニング装置において、シャッタ駆動部材をスライドさせた他の状態を示す平面図である。
【図１３】図９のディスククリーニング装置において、シャッタ駆動部材をスライドさせたさらに他の状態を示す平面図である。
【図１４】本発明によるディスククリーニング装置の第３の実施形態を示す分解斜視図である。
【図１５】図１４のディスククリーニング装置においてカバーを開放させた状態を示す斜視図である。
【図１６】（ａ）および（ｂ）は、図１４のディスククリーニング装置においてカバーを開放させた状態を示す上面図および側面図である。
【図１７】（ａ）は、図１４のディスククリーニング装置の上面図であり、（ｂ）は、シャッタ駆動部材の断面である。
【図１８】（ａ）は、カバーの裏面図であり、（ｂ）はその一部拡大図である。
【図１９】第１のカートリッジを示す斜視図である。
【図２０】第１のカートリッジを示す分解斜視図である。
【国際調査報告】
2005073970.tif 000022
2005073970.tif 000023
2005073970.tif 000024